(57)【要約】  モバイル通信デバイス中で、またはモバイル通信デバイスを用いて使用される、ロケーションコンテキスト識別子（ＬＣＩ）を決定するために圧力プロファイルを利用するための１つまたは複数の動作または技法を容易にする、またはサポートするように、全体的または部分的に利用されうる実例的な方法、装置、または製造品が、本明細書において開示されている。【選択図】図１
2016526151.tif 000002
【特許請求の範囲】
【請求項１】
モバイルデバイスにおいて、ロケーションコンテキスト識別子（ＬＣＩ）を介して識別されたエリアにおける複数の所定のロケーションを定義する無線ヒートマップを備える測位支援データを取得すること、ここにおいて前記無線ヒートマップは、前記エリア内の基準高度値に対する前記所定のロケーションの少なくともいくつかに関する１つまたは複数の予測された高度値を備える、と、
前記モバイルデバイスの気圧センサを介して取得された１つまたは複数の気圧測定値に少なくとも部分的に基づいて、前記基準高度値に対する前記モバイルデバイスの高度を測定することと、
前記１つまたは複数の気圧測定値を介して測定された前記高度および前記１つまたは複数の予測された高度値に関する少なくとも１つの信号パターンマッチング動作に少なくとも部分的に基づいて、前記モバイルデバイスのロケーションを推定することと
を備える、方法。
【請求項２】
前記少なくとも１つの信号パターンマッチング動作は、前記ＬＣＩに関して決定された複数の候補信号パターンの中から信号パターンを選択することに少なくとも部分的に基づく、
請求項１に記載の方法。
【請求項３】
前記複数の候補信号パターンの中から前記信号パターンを前記選択することは、最も近い信号パターンマッチングを決定するために、前記１つまたは複数の気圧測定値を介して測定された前記高度と、前記１つまたは複数の予測された高度値を比較することを備える、
請求項２に記載の方法。
【請求項４】
前記基準高度値は、衛星測位システム（ＳＰＳ）を介して取得された最近のポジションフィックス、ワイヤレス信号と気圧測定値との組み合わせ、ユーザ入力、またはそれらの任意の組み合わせのうちの少なくとも１つに少なくとも部分的に基づいて決定される、
請求項１に記載の方法。
【請求項５】
前記モバイルデバイスの前記ロケーションは、時間インターバルを通じて取得された前記１つまたは複数の気圧測定値を介して測定された前記高度の履歴に少なくとも部分的に基づいて推定される、
請求項１に記載の方法。
【請求項６】
前記１つまたは複数の気圧測定値を介して測定された前記高度の前記履歴は、前記エリア内の前記複数の所定のロケーションに関する圧力プロファイルを備える、
請求項５に記載の方法。
【請求項７】
前記１つまたは複数の気圧測定値を介して測定された前記高度の前記履歴は、前記エリア内で前記モバイルデバイスのユーザが移動する間に取得される、
請求項５に記載の方法。
【請求項８】
前記無線ヒートマップは、前記所定のロケーションにおける予測された受信信号強度値、前記所定のロケーションにおける予測された往復時間値、またはそれらの任意の組み合わせのうちの少なくとも１つをさらに備える、
請求項１に記載の方法。
【請求項９】
前記少なくとも１つの信号パターンマッチング動作は、前記モバイルデバイスの粗のロケーションの決定に応答して実行される、
請求項１に記載の方法。
【請求項１０】
前記モバイルデバイスの前記粗のロケーションの前記決定に応答して実行された前記少なくとも１つの信号パターンマッチング動作は、前記ＬＣＩに関して決定された、かつデータベースに記憶された信号パターンのサブセットから信号パターンを選択することに少なくとも部分的に基づく、
請求項９に記載の方法。
【請求項１１】
前記１つまたは複数の予測された高度値は、前記無線ヒートマップと組み合わせて、または前記無線ヒートマップの一部として提供される、
請求項１に記載の方法。
【請求項１２】
ロケーションコンテキスト識別子（ＬＣＩ）を介して識別されたエリアにおける複数の所定のロケーションを定義する無線ヒートマップを備える測位支援データを取得するためにワイヤレスネットワークと通信するためのワイヤレストランシーバ、ここにおいて前記無線ヒートマップは、前記エリア内の基準高度値に対する前記所定のロケーションの少なくともいくつかに関する１つまたは複数の予測された高度値を備える、と、
モバイルデバイスの気圧センサを介して取得された１つまたは複数の気圧測定値に少なくとも部分的に基づいて、前記基準高度値に対する前記モバイルデバイスの高度を測定するための前記気圧センサと、
前記１つまたは複数の気圧測定値を介して測定された前記高度および前記１つまたは複数の予測された高度値に関する少なくとも１つの信号パターンマッチング動作に少なくとも部分的に基づいて、前記モバイルデバイスのロケーションを推定するための命令でプログラミングされた１つまたは複数のプロセッサと
を備える、モバイルデバイスを備える、
装置。
【請求項１３】
前記少なくとも１つの信号パターンマッチング動作は、前記ＬＣＩに関して決定された複数の候補信号パターンの中から信号パターンを選択することに少なくとも部分的に基づく、
請求項１２に記載の装置。
【請求項１４】
前記モバイルデバイスの前記ロケーションは、時間インターバルを通じて取得された前記１つまたは複数の気圧測定値を介して測定された前記高度の履歴に少なくとも部分的に基づいて推定される、
請求項１２に記載の装置。
【請求項１５】
前記１つまたは複数の気圧測定値を介して測定された前記高度の前記履歴は、前記エリア内の前記複数の所定のロケーションに関する圧力プロファイルを備える、
請求項１４に記載の装置。
【請求項１６】
前記少なくとも１つの信号パターンマッチング動作は、前記モバイルデバイスの粗のロケーションの決定に応答して実行される、
請求項１２に記載の装置。
【請求項１７】
モバイルデバイスにおいて、ロケーションコンテキスト識別子（ＬＣＩ）を介して識別されたエリアにおける複数の所定のロケーションを定義する無線ヒートマップを備える測位支援データを取得するための手段、ここにおいて前記無線ヒートマップは、前記エリア内の基準高度値に対する前記所定のロケーションの少なくともいくつかに関する１つまたは複数の予測された高度値を備える、と、
前記モバイルデバイスの気圧センサを介して取得された１つまたは複数の気圧測定値に少なくとも部分的に基づいて、前記基準高度値に対する前記モバイルデバイスの高度を測定するための手段と、
前記１つまたは複数の気圧測定値を介して測定された前記高度および前記１つまたは複数の予測された高度値に関する少なくとも１つの信号パターンマッチング動作に少なくとも部分的に基づいて、前記モバイルデバイスのロケーションを推定するための手段と、
を備える、装置。
【請求項１８】
前記モバイルデバイスの前記ロケーションを推定するための前記手段は、前記ＬＣＩに関して決定された複数の候補信号パターンの中から信号パターンを選択するための手段をさらに備える、
請求項１７に記載の装置。
【請求項１９】
前記複数の候補信号パターンの中から前記信号パターンを選択するための前記手段は、最も近い信号パターンマッチングを決定するために、前記１つまたは複数の気圧測定値を介して測定された前記高度と、前記１つまたは複数の予測された高度値を比較するための手段をさらに備える、
請求項１８に記載の装置。
【請求項２０】
前記基準高度値は、衛星測位システム（ＳＰＳ）を介して取得された最近のポジションフィックス、ワイヤレス信号と気圧測定値との組み合わせ、ユーザ入力、またはそれらの任意の組み合わせのうちの少なくとも１つに少なくとも部分的に基づいて決定される、
請求項１７に記載の装置。
【請求項２１】
前記モバイルデバイスの前記ロケーションは、時間インターバルを通じて取得された前記１つまたは複数の気圧測定値を介して測定された前記高度の履歴に少なくとも部分的に基づいて推定される、
請求項１７に記載の装置。
【請求項２２】
前記１つまたは複数の気圧測定値を介して測定された前記高度の前記履歴は、前記エリア内の前記複数の所定のロケーションに関する圧力プロファイルを備える、
請求項２１に記載の装置。
【請求項２３】
前記１つまたは複数の気圧測定値を介して測定された前記高度の前記履歴は、前記エリア内で前記モバイルデバイスのユーザが移動する間に取得される、
請求項２１に記載の装置。
【請求項２４】
前記無線ヒートマップは、前記所定のロケーションにおける予測された受信信号強度値、前記所定のロケーションにおける予測された往復時間値、またはそれらの任意の組み合わせのうちの少なくとも１つをさらに備える、
請求項１７に記載の装置。
【請求項２５】
前記少なくとも１つの信号パターンマッチング動作は、前記モバイルデバイスの粗のロケーションの決定に応答して実行される、
請求項１７に記載の装置。
【請求項２６】
前記モバイルデバイスの前記粗のロケーションの前記決定に応答して実行された前記少なくとも１つの信号パターンマッチング動作は、前記ＬＣＩに関して決定された、かつデータベースに記憶された信号パターンのサブセットから信号パターンを選択することに少なくとも部分的に基づく、
請求項２５に記載の装置。
【請求項２７】
前記１つまたは複数の予測された高度値は、前記無線ヒートマップと組み合わせて、または前記無線ヒートマップの一部として提供される、
請求項１７に記載の装置。
【請求項２８】
モバイルデバイスにおいて、ロケーションコンテキスト識別子（ＬＣＩ）を介して識別されたエリアにおける複数の所定のロケーションを定義する無線ヒートマップを備える測位支援データを取得すること、ここにおいて前記無線ヒートマップは、前記エリア内の基準高度値に対する前記所定のロケーションの少なくともいくつかに関する１つまたは複数の予測された高度値を備える、と、
前記モバイルデバイスの気圧センサを介して取得された１つまたは複数の気圧測定値に少なくとも部分的に基づいて、前記基準高度値に対する前記モバイルデバイスの高度を測定することと、
前記１つまたは複数の気圧測定値を介して測定された前記高度および前記１つまたは複数の予測された高度値に関する少なくとも１つの信号パターンマッチング動作に少なくとも部分的に基づいて、前記モバイルデバイスのロケーションを推定することと
を行うように専用コンピューティングプラットフォームによって実行可能である命令を記憶した非一時的な記憶媒体を備える、
製品。
【請求項２９】
前記記憶媒体は、前記ＬＣＩに関して決定された複数の候補信号パターンの中から信号パターンを選択することを行うための命令をさらに備える、
請求項２８に記載の製品。
【請求項３０】
前記記憶媒体は、最も近い信号パターンマッチングを決定するために、前記１つまたは複数の気圧測定値を介して測定された前記高度と、前記１つまたは複数の予測された高度値を比較することを行うための命令をさらに備える、
請求項２９に記載の製品。
【請求項３１】
前記モバイルデバイスの前記ロケーションは、時間インターバルを通じて取得された前記１つまたは複数の気圧測定値を介して測定された前記高度の履歴に少なくとも部分的に基づいて推定される、
請求項２８に記載の製品。
【請求項３２】
前記１つまたは複数の気圧測定値を介して測定された前記高度の前記履歴は、前記エリア内の前記複数の所定のロケーションに関する圧力プロファイルを備える、
請求項３１に記載の製品。
【請求項３３】
前記少なくとも１つの信号パターンマッチング動作は、前記モバイルデバイスの粗のロケーションの決定に応答して実行される、
請求項２８に記載の製品。
【請求項３４】
モバイルデバイスで、ロケーションコンテキスト識別子（ＬＣＩ）を介して識別されたエリアにおける複数の所定のロケーションを定義する無線ヒートマップを備える測位支援データを取得すること、ここにおいて前記無線ヒートマップは、前記エリア内の基準気圧値に対する前記所定のロケーションの少なくともいくつかに関する１つまたは複数の予測された気圧値を備える、と、
前記モバイルデバイスの気圧センサを介して、前記基準気圧値に対する前記モバイルデバイスの気圧を測定することと、
前記気圧センサを介して測定された前記モバイルデバイスの前記気圧および前記１つまたは複数の予測された気圧値に関する少なくとも１つの信号パターンマッチング動作に少なくとも部分的に基づいて、前記モバイルデバイスのロケーションを推定することと
を備える、方法。
【請求項３５】
前記少なくとも１つの信号パターンマッチング動作は、前記ＬＣＩに関して決定された複数の候補信号パターンの中から信号パターンを選択することに少なくとも部分的に基づく、
請求項３４に記載の方法。
【請求項３６】
前記複数の候補信号パターンの中から前記信号パターンを前記選択することは、最も近い信号パターンマッチングを決定するために、前記モバイルデバイスの前記気圧と、前記１つまたは複数の予測された気圧値を比較することを備える、
請求項３５に記載の方法。
【請求項３７】
前記モバイルデバイスの前記ロケーションは、時間インターバルを通じて取得された前記気圧の履歴、移動の推定された水平距離の間で取得された前記気圧の履歴、前記気圧の最大と最小の値の履歴、前記気圧の最大と最小の値の差異の履歴、またはそれらの任意の組み合わせのうちの少なくとも１つに少なくとも部分的に基づいて推定される、
請求項３６に記載の方法。
【請求項３８】
前記１つまたは複数の予測された気圧値は、前記無線ヒートマップと組み合わせて、または前記無線ヒートマップの一部として提供される、
請求項３４に記載の方法。
【発明の詳細な説明】
【関連出願】
【０００１】
本願は、「System, Method, and/or Devices for Applying Barometric Pressure Measurements and Radio Frequency Measurements for Positioning」という題名の、２０１３年４月２６日付けで出願された米国仮特許出願第６１／８１６３３６号、および「System, Method, and/or Devices for Applying Barometric Pressure Measurements and Radio Frequency Measurements for Positioning」という題名の、２０１３年９月６日付けで出願された米国非仮特許出願第１４／０２０１４４号に優先権を主張するＰＣＴ出願であり、それらは参照により本明細書に全体として組み込まれている。
【背景技術】
【０００２】
１．技術分野  
[0001]本開示は、概して、モバイル通信デバイスのポジションまたはロケーション推定に関し、より具体的には、モバイル通信デバイス中でまたはモバイル通信デバイスを用いて使用される、ロケーションコンテキスト識別子（ＬＣＩ）を決定するために、圧力プロファイルを利用することに関する。
【０００３】
２．情報  
[0002]例えば、セルラ電話、ポータブルナビゲーションユニット、ラップトップコンピュータ、携帯情報端末、または同様のもののようなモバイル通信デバイスは、日々、益々一般的になってきている。例えば、ロケーション認識（location-aware）セルラ電話、スマートフォン、または同様のもののようなある特定のモバイル通信デバイスは、様々なシステムから取得された、または集められた測位支援データを提供することによって、ユーザがそれらの地理的ロケーションを推定することを支援することができる。例えば、屋外環境では、ある特定のモバイル通信デバイスは、セルラ電話または他のワイヤレス通信ネットワークを介して、全地球測位システム（ＧＰＳ）または他の同様の全地球航法衛星システム（ＧＮＳＳ）のような衛星測位システム（ＳＰＳ）、セルラ基地局、ロケーションビーコン等からのワイヤレス信号を獲得することによって、それらの地理的なロケーション、すなわちいわゆる「ポジションフィックス」の推定値を取得することができる。いくつかの事例では、獲得されたワイヤレス信号は、モバイル通信デバイスによって、またはモバイル通信デバイスにおいて処理されることができ、そのロケーションは、例えば、アドバンスト順方向リンク三辺測量（ＡＦＬＴ）、基地局識別、または同様のもののような既知の技法を使用して推定されうる。
【０００４】
[0003]屋内環境では、時に、ある特定のモバイル通信デバイスは、１つまたは複数のポジション推定技法を容易にする、またはサポートするために衛星または同様のワイヤレス信号を確実に受信または獲得することができないことがある。例えば、ＳＰＳまたは他のワイヤレス送信機からの信号は、減衰される、またはそうでなければ（例えば、不十分、微弱、断片的、ブロックされる等の）何らかの方法で影響を受けることがあり、これは、ポジション推定のためのそれらの使用を少なくとも部分的に妨げうる。したがって、屋内環境では、種々の技法が、ナビゲーションサービスまたはロケーションサービスを可能にするために用いられうる。例えば、モバイル通信デバイスは、既知のロケーションに位置付けられた３つ以上の地上ワイヤレスアクセスポイントまでの距離を測定することによってポジションフィックスを取得することができる。距離は、例えば、適したアクセスポイントから受信されたワイヤレス信号から媒体アクセス制御識別子（ＭＡＣ  ＩＤ）アドレスを取得すること、および信号強度、往復遅延、または同様のもののような、受信された信号の１つまたは複数の特性を測定することによって測定されうる。
【０００５】
[0004]時に、モバイル通信デバイスの屋内ロケーションは、例えば、無線ヒートマップのシグネチャマッチングを介して推定されることができ、ここで、そのデバイスにおいて受信されたワイヤレス信号の現在またはライブの（live）特性またはシグネチャは、データベース内に無線ヒートマップ値として記憶されている、予測されたまたは以前に測定された信号特性と比較される。例えば、オフラインの段階中、特定の屋内エリアが調査され得、例えば、受信信号強度（例えば、ＲＳＳＩ等）、往復遅延時間（例えば、ＲＴＴ等）、または同様のものを示す、ワイヤレス信号の観測された特性の形態の無線ヒートマップ値が、収集または蓄積されることができる。オンラインの段階中、モバイル通信デバイスは、例えば、現在または当面の信号シグネチャに対してマッチングするために、ローカルメモリに記憶されている、またはローカルサーバを介して（例えば、ダウンロード等用に）デバイスに提供されるような、ヒートマップ値を利用することができる。モバイル通信デバイスにおいて現在受信されている信号によって提示される特性により密接にマッチングする、データベース内のシグネチャを見つけ出すことによって、マッチングするシグネチャに関連付けられたロケーションが、デバイスの推定されたロケーションとして使用されうる。
【図面の簡単な説明】
【０００６】
[0005]非限定的かつ非網羅的な態様が以下の図を参照して説明されており、ここにおいて、同様の参照番号は、別段に指定されていない限り、様々な図全体を通して同様の部分を指す。
【図１】実例的な動作環境の実装に関連付けられた機構（features）を例示している概略図である。
【図２】ＬＣＩを決定するために圧力プロファイルを利用するための技法を容易にするまたはサポートするように実行されうる実例的なプロセスの実装を例示しているフロー図である。
【図３】実例的なマルチレベル屋内エリアの機構の実装の図式的例示である。
【図４】屋内エリアに関する圧縮プロファイルの実装を例示している実例的なプロットである。
【図５】モバイルデバイスに関連付けられた実例的なコンピューティング環境の実装を例示している概略図である。
【図６】サーバに関連付けられた実例的なコンピューティング環境の実装を例示している概略図である。
【発明の概要】
【０００７】
[0012]実例的な実装は、圧力プロファイルタイプのＬＣＩ決定のための技法に関する。１つの実装では、方法は、モバイルデバイスにおいて、ＬＣＩを介して識別されたエリアにおける複数の所定のロケーションを定義する無線ヒートマップを備える測位支援データを取得すること、ここにおいて無線ヒートマップは、エリア内の基準高度値に対する所定のロケーションの少なくともいくつかに関する１つまたは複数の予測された高度値を備える、と、モバイルデバイスの気圧センサを介して取得された１つまたは複数の気圧測定値に少なくとも部分的に基づいて、基準高度値に対するモバイルデバイスの高度を測定することと、１つまたは複数の気圧測定値を介して測定された高度および１つまたは複数の予測された高度値に関する少なくとも１つの信号パターンマッチング動作に少なくとも部分的に基づいて、モバイルデバイスのロケーションを推定することとを備えることができる。
【０００８】
[0013]別の実装では、装置は、ＬＣＩを介して識別されたエリアにおける複数の所定のロケーションを定義する無線ヒートマップを備える測位支援データを取得するようにワイヤレスネットワークと通信するためのワイヤレストランシーバ、ここにおいて無線ヒートマップは、エリア内の基準高度値に対する所定のロケーションの少なくともいくつかに関する１つまたは複数の予測された高度値を備える、と、モバイルデバイスの気圧センサを介して取得された１つまたは複数の気圧測定値に少なくとも部分的に基づいて、基準高度値に対するモバイルデバイスの高度を測定するための気圧センサと、１つまたは複数の気圧測定値を介して測定された高度および１つまたは複数の予測された高度値に関する少なくとも１つの信号パターンマッチング動作に少なくとも部分的に基づいて、モバイルデバイスのロケーションを推定するための命令でプログラムされている１つまたは複数のプロセッサとを備えるモバイルデバイスを備えることができる。
【０００９】
[0014]また別の実装では、装置は、モバイルデバイスにおいて、ＬＣＩを介して識別されたエリアにおける複数の所定のロケーションを定義する無線ヒートマップを備える測位支援データを取得するための手段、ここにおいて無線ヒートマップは、エリア内の基準高度値に対する所定のロケーションの少なくともいくつかに関する１つまたは複数の予測された高度値を備える、と、モバイルデバイスの気圧センサを介して取得された１つまたは複数の気圧測定値に少なくとも部分的に基づいて、基準高度値に対するモバイルデバイスの高度を測定するための手段と、１つまたは複数の気圧測定値を介して測定された高度および１つまたは複数の予測された高度値に関する少なくとも１つの信号パターンマッチング動作に少なくとも部分的に基づいて、モバイルデバイスのロケーションを推定するための手段とを備えることができる。
【００１０】
[0015]また別の実装では、製品は、モバイルデバイスにおいて、ＬＣＩを介して識別されたエリアにおける複数の所定のロケーションを定義する無線ヒートマップを備える測位支援データを取得することと、ここにおいて無線ヒートマップは、エリア内の基準高度値に対する所定のロケーションの少なくともいくつかに関する１つまたは複数の予測された高度値を備える；モバイルデバイスの気圧センサを介して取得された１つまたは複数の気圧測定値に少なくとも部分的に基づいて、基準高度値に対するモバイルデバイスの高度を測定することと；１つまたは複数の気圧測定値を介して測定された高度および１つまたは複数の予測された高度値に関する少なくとも１つの信号パターンマッチング動作に少なくとも部分的に基づいて、モバイルデバイスのロケーションを推定することと、のために専用コンピューティングプラットフォームによって実行可能な命令を記憶した非一時的な記憶媒体を備えることができる。
【００１１】
[0016]また別の実装では、方法は、モバイルデバイスにおいて、ＬＣＩを介して識別されたエリアにおける複数の所定のロケーションを定義する無線ヒートマップを備える測位支援データを取得すること、ここにおいて無線ヒートマップは、エリア内の基準気圧値に対する所定のロケーションの少なくともいくつかに関する１つまたは複数の予測された気圧値を備える、と、モバイルデバイスの気圧センサを介して、基準気圧値に対するモバイルデバイスの気圧を測定することと、気圧センサを介して測定されたモバイルデバイスの気圧および１つまたは複数の予測された気圧値に関する少なくとも１つの信号パターンマッチング動作に少なくとも部分的に基づいて、モバイルデバイスのロケーションを推定することとを備えることができる。しかしながら、これらが単に、実例的な実装に過ぎず、請求されている主題がこれらの特定の実装に限定されないことは理解されるべきである。
【発明を実施するための形態】
【００１２】
[0017]以下の詳細な説明では、数多くの具体的な詳細が、請求されている主題の完全な理解を提供するように述べられている。しかしながら、請求されている主題がこれらの具体的な詳細なしで実施されうることは、当業者によって理解されるであろう。他の事例では、当業者には既知であろう方法、装置、またはシステムは、請求されている主題を不明瞭にしないために、詳細には説明されていない。
【００１３】
[0018]モバイル通信デバイス中で、またはモバイル通信デバイスを用いて使用される、ロケーションコンテキスト識別子（ＬＣＩ）を決定するために圧力プロファイルを利用するための１つまたは複数の動作または技法を容易にする、またはサポートするように、全体的または部分的に実装されうるいくつかの実例的な方法、装置、または製造品が、本明細書において開示されている。本明細書で使用される場合、「モバイルデバイス」、「モバイル通信デバイス」、「ワイヤレスデバイス」、「ロケーション認識モバイルデバイス」、またはこのような用語の複数形は、交換可能に使用されることができ、随時変化するポジションまたはロケーションを有しうる任意の種類の専用コンピューティングプラットフォームまたは装置を指しうる。いくつかの事例では、モバイル通信デバイスは、例えば、１つまたは複数の通信プロトコルにしたがった情報のワイヤレス送信または受信を通じて、モバイルまたは違う形式の他のデバイスと通信する能力を有しうる。例示として、本明細書では単にモバイルデバイスと呼ばれうる専用モバイル通信デバイスは、例えば、セルラ電話、スマートフォン、携帯情報端末（ＰＤＡ）、ラップトップコンピュータ、パーソナルエンタテインメントシステム、タブレットパーソナルコンピュータ（ＰＣ）、パーソナルオーディオまたはビデオデバイス、パーソナルナビゲーションデバイス、または同様のものを含むことができる。しかしながら、これらは単に、少なくとも部分的に、ＬＣＩを決定するために圧力プロファイルを利用するための１つまたは複数の動作または技法を実装するように使用されうるモバイルデバイスの単なる例に過ぎず、請求されている主題は、この点に関して限定されないことは認識されるべきである。また、「ポジション」および「ロケーション」という用語は、本明細書では交換可能に使用されうることも留意されるべきである。
【００１４】
[0019]屋内、または同様の環境に位置するモバイルデバイスのポジションフィックスは、例えば、屋内ナビゲーションシステム、ロケーションまたは測位支援サーバ、または同様のものによって、モバイルデバイスに選択的に提供されうる測位支援データに少なくとも部分的に基づいて取得されうる。いくつかの事例では、測位支援データは、例えば、１つまたは複数のロケーションコンテキスト識別子を介して識別可能な関心のある、屋内または同様のエリアの電子デジタルマップを備えることができる。本明細書で使用される場合、ロケーションコンテキスト識別子（ＬＣＩ）は、ローカルに定義された地理的エリアに関連付けられた地理的にリンクされた情報のセットのための識別子を指しうる。ローカルに定義された地理的エリアは、例えば、グローバル座標システムにしたがってマッピングされうるか、またはマッピングされないことがある、建物、建物の特定のフロア、建物のある特定の部分またはウィング、あるいは同様のエリアを含むことができる。ある実施形態において、地理的にリンクされた情報のセットは、例えば、１つまたは複数のＬＣＩを介して識別可能な注釈付きのマップでありうる。１つまたは複数のＬＣＩを介して識別可能な電子デジタルマップは、例えば、化粧室、店舗、入口（entry ways）、公衆電話、または同様のもののような関心地点のみならず、扉、廊下、階段、エレベータ、壁等のような関心エリアの屋内機構を含むことができる。１つまたは複数のＬＣＩを介して識別可能な電子デジタルマップはまた、例えば、ＬＣＩ内で検出可能なワイヤレス送信機（例えば、アクセスポイント等）の関連付けられた信号パラメータに加えて、それぞれのロケーションも含むことができる。１つまたは複数の電子デジタルマップおよびＬＣＩは、例えば、単に１つの可能な実装を例示すると、ユフォームリソースロケータ（ＵＲＬ）の選択等を介して、モバイルデバイスによってアクセス可能であるように、１つまたは複数の適したサーバにおいて記憶されうる。１つまたは複数の関連するＬＣＩを介して識別されるような、関心のある屋内または同様のエリアのデジタルマップを取得することによって、例えば、モバイルデバイスは、関連するユーザに追加のコンテキスト、基準のフレーム、または同様のものを提供するために、このエリアのディスプレイされたマップ上にその現在のロケーションを重ね書き（overlaying）する能力を有しうる。
【００１５】
[0020]いくつかの事例では、測位支援データは、例えば、屋内または同様の環境のために構築された１つまたは複数の無線ヒートマップを含むことができる。無線ヒートマップは、例えば、予測された信号強度（例えば、ＲＳＳＩ等）、往復遅延時間（例えば、ＲＴＴ等）、または関心のある屋内または同様のエリアにおける特定のロケーションでの他の特性を示す、ワイヤレス信号の観測された特性、すなわちいわゆる信号「シグネチャ」を表す、無線ヒートマップ値または同様のメタデータの形態で提供されうる。無線ヒートマップは、例えば、比較的均一な間隔（例えば、２メートル距離間隔（separation）の隣接するグリッドポイント等）で、関心のある屋内または同様のエリアの平面図上に置かれた、またはマッピングされたポイントのグリッドを備えることができ、これらのポイントにおいて予測された信号シグネチャを表すことができる。いくつかの事例では、無線ヒートマップは、例えば、単に別の可能な実装を例示すると、ＬＣＩを介して識別された地理的にリンクされた情報の形態で提供されうる。無線ヒートマップは、例えば、関心のある屋内または同様のエリア内の既知の固定されたロケーションに位置付けられた、１つまたは複数のアクセスポイントのような、１つまたは複数のワイヤレス送信機までの距離の測定を容易にする、またはサポートすることができる。したがって、既知のワイヤレス送信機について、無線ヒートマップは、例えば、特定のグリッドポイントを、このグリッドポイントにおいて予測される信号シグネチャを表すヒートマップ値と関連付けることができる。このように、１つまたは複数の既知のアクセスポイントに関連付けられたヒートマップ値は、例えば、モバイルデバイスが、観測された信号シグネチャを、関心のある屋内または同様のエリア内のロケーションと相関させる、または関連付けることを可能にしうる。
【００１６】
[0021]時に、比較的大きなまたは高層の屋内または同様の環境に関する測位支援データ（例えば、ワイヤレス送信機のロケーション、無線ヒートマップ、ディスプレイのためのデジタルマップ、ルーティンググラフ等）は、きわめて膨大または包括的であり得、このことは、増大した処理時間をもたらすか、モバイルデバイスの電力消費に影響を与えるか、または同様のことをもたらしうる。例えば、時に、モバイルデバイスが位置する（例えば、ショッピングモール等）特定のフロアについて不確実性が存在しうる。この不確実性を解決するために、モバイルデバイスは、例えば、それぞれのフロアに関連付けられた各候補ＬＣＩに関するような、複数の無線ヒートマップ、デジタルマップ等にアクセスする、またはそれらをダウンロードすることができる。このことは、多大な時間を必要としうるか、モバイルデバイスのネットワーク帯域幅、メモリ、または電力を浪費しうるか、または同様のことをもたらしうる。加えて、時に、限定されたメモリリソース、カバレッジまたはメタデータ転送プラン等に少なくとも部分的に起因して、モバイルデバイスは、例えば、確実に包括的な無線ヒートマップを受信すること、またはローカルメモリへ包括的な無線ヒートマップをダウンロードすることができないことがある。
【００１７】
[0022]したがっていくつかの事例では、例えば比較的大きなまたは高層の屋内または同様の環境において、例えば、モバイルデバイスが位置しうる場所の概略エリア（例えば、特定のフロア、建物のウィング等）を解明または決定することは有用でありうる。ひいてはモバイルデバイスは、その特定のエリアで使用されるより小さなローカライズされた測位支援データ（例えば、ヒートマップのある部分、特定のフロア上のワイヤレス送信機のロケーション、１つまたは複数の関連するＬＣＩを介して識別されたデジタルマップ等）を提供されうる。時に、モバイルデバイスは、例えば、既知の固定されたロケーションに位置付けられた１つまたは複数のワイヤレス送信機から信号を獲得することによって、室内エリアの特定の部分、建物の特定のフロア等にあるとして、そのロケーションを解明することができる。例えば、モバイルデバイスは、モバイルデバイスの獲得距離内に位置するワイヤレス送信機（例えば、ＩＥＥＥ規格８０２．１１アクセスポイント等）によって送信された信号を変調するＭＡＣアドレスまたは他の情報を獲得することができる。十分な数のワイヤレス送信機によって送信された信号の獲得によって、モバイルデバイスは、例えば、そのロケーションがより大きな屋内または同様の環境の特定のエリア内にあることを推断または決定することができる。モバイルデバイスはその後、例えば、適したサーバ等を介して、その特定のエリアに適用可能なより小さなサイズの測位支援データを要求またはその測位支援データにアクセスすることができる。
【００１８】
[0023]時に、モバイルデバイスが位置する特定のフロアのような、室内エリアの特定の部分を解明または決定することは、例えば、多くの挑戦を表しうる。例えばいくつかの事例では、ＲＳＳＩ、ＲＴＴ、または同様の信号シグネチャは、利用可能でないことがある。信号シグネチャは、例えば１つまたは複数のポジション推定動作またはプロセスにおいてそれらの使用を妨げるように、必須のワイヤレス信号が減衰される、またはそうでなければ不十分、弱い、断片的、サポートされていない等のような何らかの方法で影響を受ける場合、利用可能でないことがある。例示するために、いくつかの室内エリアの構造的要素（例えば、フロア、壁、窓、仕切り（dividers）等）は比較的高密度であり得、それにより、例えば、マルチパスまたはフェージング効果の傾向が有り得、このことは、モバイルデバイスが必須のワイヤレス信号を受信または処理することを妨げうる。加えて、発せられたワイヤレス信号は、特定の室内エリアの近接するフロア間で振動または伝搬することができ、そういうものであるため、そのエリアの複数のフロアのいずれか１つ上のモバイルデバイスによって獲得されうる。このことは、例えば、高層の屋内または同様の環境内の特定のフロアと観測された信号シグネチャを相関または関連付けることをより困難にしうる。
【００１９】
[0024]いくつかの事例では、モバイルデバイスが位置する特定のフロアのような、室内エリアの特定の部分を解明または決定するために、例えば、モバイルデバイスの気圧および／または高度を決定することが有用でありうる。例えば、１つまたは複数の気圧測定値は、例えば関連付けられた気圧センサにおいて取得されることができ、あらゆる適した計算または技法を使用して高度にコンバートされうる。しかしながら、時にモバイルデバイスが、関心のある特定の屋内または同様のエリアに関する基準圧力をそれ自体で決定する能力を有さないので、気圧測定値からモバイルデバイスの高度を計算することは、信頼できないか、あまり有用でないかでありうる。このコンテキストでは、基準圧力は、例えば現在の、またはローカルな天気または環境の条件を説明しうるベースラインの海面気圧を指しうる。いくつかの事例では、基準圧力は、例えば国際標準待機（ＩＳＡ）のプロパティの観点で定義されているような、基準海面（ＭＳＬ）における大気圧を表すか、またはその大気圧に等しくありうる。基準圧力がローカル条件（例えば、気温、密度等）に依存して変化しうるので、時に、高層の屋内または同様の環境内の特定のフロアとモバイルデバイスの気圧および／または高度を相関させることが困難でありうる。したがって、例えばモバイルデバイスが位置する特定のフロアのような、室内エリアの特定の部分を解明または決定することを含むことができる、より効果的または有効な屋内ロケーションまたはナビゲーション技法を実行することができる１つまたは複数の方法、システム、または装置を発展させることが望ましい。
【００２０】
[0025]したがって、以下でより詳細に説明されることになるように、ある実装では、例えば、ＬＣＩを介して識別された特定のフロアのような、関心のある特定の屋内または同様のエリアのための圧力プロファイルが、少なくとも部分的に、降下したまたは上昇したレベル、階段、斜面、または同様のもののようなフロア上のある特定の特徴を識別するために取得および使用されうる。これらの特徴は、これもまた理解されることになるように、気圧および／または高度のバリエーションの一意または区別可能なパターンを反映し得、それにより、少なくとも部分的に高層の屋内または同様の環境内の特定のフロアを解明または決定することを支援することができる。いくつかの事例では、圧力プロファイルは、例えば、ユーザが関心のある屋内または同様のエリア内を移動する間のような、適した時間インターバルを通して取得された１つまたは複数の気圧測定値からコンバートされた相対的な高度値、および／または相対的な気圧測定値の履歴を備えることができる。したがって、本明細書で論じられている、または例示されているある特定の実装、動作、プロット等は相対的な高度を指しうる、または参照しうるけれども、相対的な気圧が、例えば、請求されている主題の範囲から逸脱することなく、１つまたは複数のＬＣＩを決定するために、全体的または部分的に使用されうる。時に、相対的な高度値のパターン（例えば、圧力プロファイル等）は、例えば、無線ヒートマップまたは同様の測位支援データの一部として、またはそれと組み合わせて提供されうるか、あるいは違った形で利用可能にされうる、予測された高度値の信号パターンと比較されうる。取得された圧力プロファイルの信号パターンに最も密接にマッチングする予測された高度値のパターンを識別または選択することによって、例えばマッチングパターンに関連付けられたＬＣＩを介して識別される特定のフロア上にあるような、モバイルデバイスのロケーションが推定されうる。いくつかの事例では、取得された圧力プロファイルの信号パターンは、例えば、これもまた理解されることになるように、モバイルデバイスの粗の、または概算のロケーションに対してマッピングされうる。
【００２１】
[0026]図１は、ＬＣＩを決定するために圧力プロファイルを利用するための１つまたは複数のプロセスまたは動作を容易にする、またはサポートする能力を有する実例的な動作環境の実装に関連付けられた特徴を例示している概略図である。動作環境は、パブリックネットワーク（例えば、インターネット、ワールドワイドウェブ）、プライベートネットワーク（例えば、イントラネット）、ワイヤレスローカルエリアネットワーク（ＷＬＡＮ等）、または同様のもののような、様々な通信ネットワークまたはネットワークの組み合わせのコンテキストにおいて、全体的または部分的に実装されうる非限定的な例として本明細書で説明されていることは理解されるべきである。また、請求されている主題は、屋内の実装に限定されないことも留意されるべきである。例えば、時に、本明細書で説明されている１つまたは複数の動作または技法は、屋内のような環境において、少なくとも部分的に実行されることができ、これは、都市ビルの谷間、町の広場、円形競技場、立体駐車場、屋上、パティオ、または同様のもののような、部分的にまたは実質的に囲まれたエリアを含むことができる。時に、本明細書で説明されている１つまたは複数の動作または技法は、屋外環境において、少なくとも部分的に実行されうる。
【００２２】
[0027]例示されているように、モバイルデバイス１００は、衛星測位システム（ＳＰＳ）信号１５９をＳＰＳ衛星１６０から受信または獲得することができる。いくつかの実施形態では、ＳＰＳ衛星１６０は、ＧＰＳまたはガリレオ衛星システムのような、１つの全地球ナビゲーション衛星システム（ＧＮＳＳ）中のものでありうる。他の実施形態では、ＳＰＳ衛星は、限定はされないけれども、ＧＰＳ、ガリレオ、グロナス、または北斗（コンパス）衛星システムのような複数のＧＮＳＳ中のものでありうる。他の実施形態では、ＳＰＳ衛星は、例えば、いくつか例を挙げると、ワイドエリアオーグメンテーションシステム（ＷＡＡＳ）、欧州静止ナビゲーションオーバーレイサービス（ＥＧＮＯＳ）、準天頂衛星システム（ＱＺＳＳ）のような、いくつかの地域航法衛星システム（ＲＮＳＳ’）のうちのいずれか１つ中のものでありうる。
【００２３】
[0028]加えて、モバイルデバイス１００は、ワイヤレス通信ネットワークに無線信号を送信し、ワイヤレス通信ネットワークから無線信号を受信することができる。１つの例では、モバイルデバイス１００は、ワイヤレス通信リンク１２３をわたって、トランシーバ基地局１１０にワイヤレス信号を送信するか、またはトランシーバ基地局１１０からワイヤレス信号を受信することによって、セルラ通信ネットワークと通信することができる。同様に、モバイルデバイス１００は、ワイヤレス通信リンク１２５をわたって、ローカルトランシーバ１１５にワイヤレス信号を送信するか、またはローカルトランシーバ１１５からワイヤレス信号を受信することができる。
【００２４】
[0029]特定の実装では、ローカルトランシーバ１１５は、ワイヤレス通信リンク１２３をわたった基地局トランシーバ１１０によって有効にされる距離よりもワイヤレス通信リンク１２５をわたった短い距離で、モバイルデバイス１００と通信するように構成されうる。例えば、ローカルトランシーバ１１５は、屋内環境に位置付けられうる。ローカルトランシーバ１１５は、ワイヤレスローカルエリアネットワーク（ＷＬＡＮ、例えば、ＩＥＥＥ規格８０２．１１ネットワーク）またはワイヤレスパーソナルエリアネットワーク（ＷＰＡＮ、例えば、Ｂｌｕｅｔｏｏｔｈ（登録商標）ネットワーク）へのアクセスを提供することができる。別の実例的な実装では、ローカルトランシーバ１１５は、セルラ通信プロトコルにしたがったリンク１２５上での通信を容易にする能力を有するフェムトセルトランシーバを備えることができる。もちろん、これらは単に、ワイヤレスリンクをわたってモバイルデバイスと通信することができるネットワークの例に過ぎず、請求されている主題がこの点に関して限定されないことは理解されるべきである。
【００２５】
[0030]特定の実装では、トランシーバ基地局１１０およびローカルトランシーバ１１５が、リンク１４５を通じてネットワーク１３０を通ってサーバ１４０、１５０、および１５５と通信することができる。サーバ１４０、１５０、および１５５は、本明細書で論じられている１つまたは複数のプロセスまたは動作を容易にする、またはサポートする能力を有するあらゆる適したタイプのサーバを表すことができる。例えば、サーバ１４０、１５０、および１５５は、ＬＣＩサーバ、マップサーバ、測位支援サーバ、情報サーバ、または同様のものを備えることができる。ここで、ネットワーク１３０は、有線またはワイヤレスリンクのあらゆる組み合わせを備えることができる。特定の実装では、ネットワーク１３０は、ローカルトランシーバ１１５またはトランシーバ基地局１５０を通じて（例えば、ネットワークインターフェース等を介して）モバイルデバイス１００とサーバ１４０、１５０、または１５５との間の通信を容易にする能力を有するインターネットプロトコル（ＩＰ）インフラを備えることができる。別の実装では、ネットワーク１３０は、モバイルデバイス１００とのモバイルセルラ通信を容易にするために、例えば、基地局コントローラ、またはマスタ切替えセンタ（図示せず）のような、セルラ通信ネットワークインフラを備えることができる。
【００２６】
[0031]特定の実装では、ならびに本明細書で論じられるように、モバイルデバイス１００は、モバイルデバイス１００のポジションフィックスまたは推定された位置を計算する能力を有する処理リソースおよび回路を有することができる。例えば、モバイルデバイス１００は、４つまたはそれ以上のＳＰＳ衛星１６０までの疑似距離測定値に少なくとも部分的に基づいて、ポジションフィックスを計算することができる。ここで、モバイルデバイス１００は、４つ以上のＳＰＳ衛星１６０から獲得される信号１５９における疑似雑音符号位相検出に少なくとも部分的に基づいて、そのような疑似距離測定値を計算することができる。特定の実装では、モバイルデバイス１００は、いくつかの例を挙げると、例えば、アルマナック、エフェメリスデータ、ドップラー検索ウィンドウ、を含む、ＳＰＳ衛星１６０によって送信された信号１５９の獲得を助ける測位支援データをサーバ１４０、１５０、または１５５から受信することができる。
【００２７】
[0032]他の実装では、モバイルデバイス１００は、例えば、アドバンスト順方向三辺測量（ＡＦＬＴ）、観測到着時間差等（ＯＴＤＯＡ）、または同様のもののような、いくつかの技法のうちのいずれか１つを使用して、（例えば、トランシーバ基地局１１０のような）既知のロケーションに固定された地上送信機から受信された信号を処理することによって、ポジションフィックスを取得することができる。これらの特定の技法において、モバイルデバイス１００からの距離は、既知のロケーションに固定された送信機によって送信され、かつモバイルデバイス１００において受信されたパイロット信号に少なくとも部分的に基づいて、既知のロケーションに固定されたそのような地上送信機のうちの３つ以上に対して測定されうる。ここで、サーバ１４０、１５０、または１５５は、例えば、ＡＦＬＴ、ＯＴＤＯＡ、または同様のもののような測位技法を容易にするために地上送信機のロケーションおよびアイデンティティを含む、測位支援データをモバイルデバイス１００に提供する能力を有することができる。例えば、サーバ１４０、１５０、または１５５は、特定の（１つまたは複数の）領域におけるセルラ基地局のロケーションおよびアイデンティティを示す基地局アルマナック（ＢＳＡ）を含むことができる。
【００２８】
[0033]屋内環境または都市ビルの谷間のような特定の環境において、モバイルデバイス１００は、ポジションフィックスを計算するための、十分な数のＳＰＳ衛星１６０から信号１５９を獲得する能力を有さないか、またはＡＦＬＴ、ＯＴＤＯＡ等を実行しないことがありうる。代わりとして、モバイルデバイス１００は、ローカル送信機（例えば、既知のロケーションに位置付けられたＷＬＡＮアクセスポイント）から獲得された信号に少なくとも部分的に基づいてポジションフィックスを計算する能力を有しうる。例えば、モバイルデバイスは、既知のロケーションに位置付けられている３つ以上の屋内地上ワイヤレスアクセスポイントまでの距離を測定することによってポジションフィックスを取得することができる。そのような距離は、例えば、そのようなアクセスポイントから受信された信号からＭＡＣ  ＩＤアドレスを取得すること、および、例えば、受信信号強度（ＲＳＳＩ）、往復時間（ＲＴＴ）、または同様のもののような、アクセスポイントから受信された信号の１つまたは複数の特性を測定することによってそのようなアクセスポイントまでの距離測定値を取得することによって、測定されうる。代わりの実装では、モバイルデバイス１００は、屋内エリア内の特定のロケーションおける予測されたＲＳＳＩ、ＲＴＴ、または同様のシグネチャを示す無線ヒートマップに、獲得された信号の特性を適用することによって、屋内ポジションフィックスを取得することができる。特定の実装では、無線ヒートマップは、ローカル送信機のアイデンティティ（例えば、ローカル送信機から獲得された信号から認識できるＭＡＣアドレス）、識別されたローカル送信機によって送信された信号からの予測されたＲＳＳＩ、識別された送信機からの予測されたＲＴＴ、およびこれらの予測されたＲＳＳＩまたはＲＴＴの可能性のある標準偏差を関連付けることができる。いくつかの事例において、予測されたＲＳＳＩまたはＲＴＴシグネチャを有することに加えて、無線ヒートマップにおけるノードは、以下で論じられるような、ノード間の相対的高度を示す層を有することができる。しかしながら、これらは単に無線ヒートマップの例に過ぎず、請求されている主題がこの点に関して限定されないことは、理解されるべきである。
【００２９】
[0034]特定の実装では、モバイルデバイス１００は、サーバ１４０、１５０、または１５５から、屋内測位動作のための測位支援データを受信することができる。例えば、そのような測位支援データは、測定されたＲＳＳＩ、ＲＴＴ、または同様のものに少なくとも部分的に基づいてこれらの送信機までの距離を測定することを可能にするために、既知のロケーションに位置付けられた送信機のロケーションおよびアイデンティティを含むことができる。屋内測位動作を助ける他の測位支援データは、いくつか例を挙げると、（例えば、相対的な高度値等を有する）無線ヒートマップ、磁気ヒートマップ、ルーティンググラフを含むことができる。モバイルデバイス１００によって受信された他の支援データは、例えば、ディスプレイのための、またはナビゲーションを助けるための屋内エリアのローカルマップを含むことができる。そのようなマップは、モバイルデバイス１００が特定の屋内エリアに入るとモバイルデバイス１００に提供されうる。そのようなマップは、扉、廊下、入口、壁等のような屋内機構、バスルーム、公衆電話、部屋名、店舗等のような関心ポイントを表現することができる。そのようなマップを取得およびディスプレイすることによって、モバイルデバイス１００は、例えば、示されたように、追加のコンテキストをユーザに提供するためにディスプレイされたマップにその現在のロケーションを重ね書きすることができる。
【００３０】
[0035]１つの実装において、例えば、無線ヒートマップ、ルーティンググラフ、デジタルマップ、または同様のもののような測位支援データは、物理的障害物（例えば、壁）および通路（例えば、壁にある戸口）に影響を受けやすいが、屋内エリア内のナビゲーションに関して実現可能なエリアを定義するのにモバイルデバイス１００を支援することができる。ここで、ナビゲーションに関して実現可能なエリアを定義することによって、モバイルデバイス１００は、動きモデルにしたがって（例えば、粒子フィルタまたはカルマンフィルタにしたがって）ロケーションまたは動き軌跡を推定するためのフィルタリング測定の適用を助ける制約を適用することができる。特定の実施形態にしたがって、ローカル送信機からの信号の獲得から取得された測定値に加えて、モバイルデバイス１００は、モバイルデバイス１００のロケーションまたは動き状態を推定する際に、慣性センサ（例えば、加速度計、ジャイロスコープ、磁気探知器等）または環境センサ（例えば、温度センサ、マイクロフォン、気圧センサ、周辺光センサ、カメラ撮像装置等）から取得された測定値または推断に動きモデルをさらに適用することができる。
【００３１】
[0036]ある実施形態にしたがうと、モバイルデバイス１００は、前に言及されたように、例えばユニバーサルリソースロケータ（ＵＲＬ）の選択を通じてデータを要求することによって、サーバ１４０、１５０、または１５５を通じて測位支援データにアクセスすることができる。「測位支援データ」および「屋内ナビゲーション支援データ」という用語は、本明細書では交換可能に使用されうる。特定の実装では、サーバ１４０、１５０、または１５５は、例えば、いくつか例を挙げると、建物のフロア、病院のウィング、空港におけるターミナル、大学のキャンパスの複数の部分、巨大ショッピングモールのエリアを含む多くの異なる屋内エリアをカバーするために屋内ナビゲーション支援データを提供する能力を有しうる。また、モバイルデバイス１００におけるメモリリソースおよびデータ送信リソースは、サーバ１４０、１５０、または１５５によってサービス提供されるすべてのエリアに関する屋内ナビゲーション支援データの受信を非実用的、または実行不可能にし得、モバイルデバイス１００からの屋内ナビゲーション支援データを求める要求は、モバイルデバイス１００のロケーションの大まかな、または粗の推定値を示しうる。モバイルデバイス１００はその後、モバイルデバイス１００のロケーションの大まかな、または粗の推定値を含む、またはそれに接近したエリアをカバーする屋内ナビゲーション支援データを提供されうる。
【００３２】
[0037]１つの特定の実装では、モバイルデバイス１００からの屋内ナビゲーション支援データを求める要求は、示されたように、ロケーションコンテキスト識別子（ＬＣＩ）を指定することができる。そのようなＬＣＩは、例えば、グローバル座標システムにしたがってマッピングされない、建物の特定のエリアまたは他の屋内エリアのようなローカルに定義されたエリアに関連付けられうる。１つの実例的なサーバアーキテクチャにおいて、エリアへの入場の際、モバイルデバイス１００は、エリアまたは近接エリアをカバーする１つまたは複数のＬＣＩを提供することを、サーバ１４０のような第１のサーバに要求することができる。ここで、モバイルデバイス１００からの要求は、要求されたサーバが既知のＬＣＩによってカバーされたエリアと大まかなロケーションを関連付け、その後モバイルデバイス１００にそれらのＬＣＩを送信することができるように、モバイルデバイス１００の大まかなロケーションを含むことができる。モバイルデバイス１００はその後、上記で論じられたような１つまたは複数のＬＣＩによって識別可能なエリアに関連するナビゲーション支援データ（例えば、デジタルマップ、送信機のロケーションおよび識別、無線ヒートマップ、ルーティンググラフ等）を取得するために、サーバ１５０のような種々のサーバとの後続のメッセージで受信されたＬＣＩを使用することができる。いくつかの事例では、サーバ１４０、１５０、または１５５は、何らかの方法で（例えば、キャリア、サービスプロバイダ等によって）合併または組み合わせられ得、このケースでは、ＬＣＩ決定またはアソシエーションは、例えば、適切な（１つまたは複数の）サーバ上のような内部で実行または実施されうる。時に、サーバ１４０、１５０、または１５５は、例えば、複数のＬＣＩ、モバイルデバイス１００の大まかなロケーション、または同様のものにマッピングされたワイヤレス送信機（例えば、アクセスポイント等）から受信された信号特性に少なくとも部分的に基づきうる、関心のあるエリアに関連付けられた複数のＬＣＩを提供することができる。
【００３３】
[0038]ある特定の数のコンピューティングプラットフォーム、デバイス、送信機等が本明細書で例示されているけれども、任意の数の適したコンピューティングプラットフォーム、デバイス、送信機等が、図１の実例的な動作環境に関連付けられた１つまたは複数の技法またはプロセスを容易にする、または違った形でサポートするように実装されうることは留意されるべきである。例えば、時に、ネットワーク１３０は、モバイルデバイス１００、トランシーバ基地局１１０、ローカルトランシーバ１１５、サーバ１４０、１５０、１５５、または同様のものとの通信用のカバレッジエリアを増進するために、１つまたは複数の有線またはワイヤレス通信ネットワーク（例えば、Ｗｉ−Ｆｉ等）に結合されうる。いくつかの事例では、ネットワーク１３０は、例えば、カバレッジのフェムトセルベースの動作領域を助長またはサポートすることができる。重ねて、これらは単に、実例的な実装に過ぎず、請求されている主題は、この点に関して限定されない。
【００３４】
[0039]このことを念頭に置いて次に注目が図２に向けられることになり、これは、例えば、図１のモバイルデバイス１００のような、モバイルデバイス中でまたはモバイルデバイスを用いて使用する、ＬＣＩを決定するために圧力プロファイルを利用するための１つまたは複数の動作または技法を容易にする、またはサポートするように全体的または部分的に実行されうる実例的なプロセス２００の実装を例示するフロー図である。示されたように、例えば、高層の建物内の特定のフロアのような、室内エリアのある部分を識別する能力を有する関連するＬＣＩを決定することは、モバイルデバイスのより効果的または有効なローカリゼーションを助けうる。例えば、実例的なプロセス２００に関連付けられた入力信号、出力信号、動作、結果等のような、獲得または作り出される情報が、１つまたは複数のデジタル信号を介して表されうることは留意されるべきである。また、１つまたは複数の動作が、同時並行して、またはある特定の順序の点で例示または説明されているけれども、他の順序または同時並行の動作が用いられうることもまた、認識されるべきである。加えて、以下の説明は、ある特定の他の図において例示されている特定の態様または特徴を参照しているけれども、１つまたは複数の動作は、他の態様または特徴でも実行されうる。
【００３５】
[0040]実例的なプロセス２００は、例えば、モバイルデバイスにおいて、ＬＣＩを介して識別されたエリアにおける複数の所定のロケーションを定義する無線ヒートマップを備える測位支援データを取得することを伴う動作２０２で始まりうる。いくつかの事例では、無線ヒートマップは、例えば、エリア内の基準高度値に対する所定のロケーションの少なくともいくつかに関する１つまたは複数の予測された高度値を備えることができる。例えば、図３で例示されているように、時に、関連するＬＣＩを介して識別されるような、実例的なマルチレベルの屋内エリア３００は、上昇したレベル、降下したフロア、階段、または同様のもののようないくつかの機構を有することができる。これもまた理解されるように、エリア３００の上昇したレベルは、以下の別のエリア（例えば、降下したまたは最下階等）にも開放され得、これにより、ユーザが階段を使用してより低いレベルに移動することが可能になりうる。したがって、エリア３００に関して、例えば、上昇したレベル、降下したフロア、階段等のような所定のロケーションの少なくともいくつかに関する相対的な高度値の層を備える無線ヒートマップが、少なくとも部分的にこれらのロケーション間の特定の遷移を検出するために構築および使用されうる。示されたように、様々な実施形態において、高度は、メートル、フィート、気圧、または当技術分野において既知の他の手段の観点で表現されうる。
【００３６】
[0041]本明細書で使用される場合、「所定のロケーション」は、モバイルデバイスで受信されたか、モバイルデバイスによって取得された、１つまたは複数のワイヤレス信号または物理現象（例えば、大気圧等）の１つまたは複数の特性または値の記憶された信号パターンに関連付けられたロケーションを指しうる。いくつかの事例では、所定のロケーションは、例えばあらゆる適した測定ロケーションを備えることができる。したがって、適したデータベースに記憶されているような、それぞれの複数の信号パターンに関連付けられた複数のロケーションは、例えば、複数の所定のロケーションと称されうる。また、本明細書で使用される場合、「信号パターン」または「パターン」という用語は、モバイルデバイスで受信されたか、モバイルデバイスによって取得された、１つまたは複数のワイヤレス信号または物理現象（例えば、大気圧等）の１つまたは複数の特性または値を指しうる。時に信号パターンは、他の値または特性からコンバートされた１つまたは複数の値を含むことができる。例えば、信号パターンは、ＲＳＳＩ、ＲＴＴ、気圧、絶対的または相対的な高度、圧力またはＧＰＳ高度、あるいは同様の値を備えることができる。いくつかの事例では、いくつかの信号パターンが、それらの関連付けられた所定のロケーションおよび信号パターンのデータベースを形成するために、任意の数のロケーションで観測されうる。信号パターンのデータベースは、モバイルデバイス、適したサーバ、またはそれらのあらゆる組み合わせに関連付けられうる。ＲＳＳＩ、ＲＴＴ、気圧、高度等が単に、以下で論じられるような、少なくとも部分的にパターンマッチング動作において利用されうる物理現象またはワイヤレス特性の例であり、請求されている主題がこの点に関して限定されないことは留意されるべきである。信号フェーズ、超音波等のような他のワイヤレス信号特性、または物理現象は、全体的または部分的に用いられうる。
【００３７】
[0042]したがって少なくとも１つの実装では、予測されたＲＳＳＩ、ＲＴＴ、または同様の値に加えて、無線ヒートマップにおけるノードは、例えば、ある特定のノード間の相対的な高度を示す値を備えることができる。例示するために、いくつかの事例では、エリア３００内の最低、または違った形で適したポイントが、例えば、０．０メートルの基準高度値を有する基準ノードとして選定されうる。エリア３００における所定のロケーションの少なくともいくつかを表す他のノードは、例えば、０．０メートルと１．０メートルの間のような、この基準高度値に対する予測された高度値を用いてそれぞれ選定されうる。したがっていくつかの事例では、エリア３００に関する無線ヒートマップは、例えば、エリア３００を区別して識別する能力を有する一意または区別可能な遷移の信号パターンを表す予測された高度値を備えることができる。もちろん、これらは単に、無線ヒートマップに関連する例に過ぎず、請求されている主題は、そのように限定されない。
【００３８】
[0043]本明細書で使用される場合、基準高度値は、例えば、関心のある屋内または同様のエリアの特殊性（例えば、見取り図、フロアまたは機構の数、天候条件、絶対的な高度、ＭＳＬでの大気圧等）を説明する、適した値を用いて表されるような、何らかのベースラインの高度設定を指しうる。基準高度値は、少なくとも部分的に経験に基づいて決定され得、特定のアプリケーション、環境、条件、または同様のものに依存して、例えば、予め定義または構成されるか、あるいはそうでなければ何らかの方法で動的に定義されうる。例えばいくつかの事例では、１つの可能な実装を例示すると、関心のある屋内または同様のエリアに入る前のような、ＳＰＳを介して取得される最近のポジションフィックスに関連付けられた高度値は、基準高度値として使用されうる。限定ではなく例として、時に、ＧＰＳ高度は、少なくとも部分的に、使用されうる。別の可能な例として、基準高度値は、例えば、対応する物理ロケーション（例えば、最下フロア等）において、または対応する物理ロケーションから値を（例えば０．０メートル等に）手動で設定することによる等のユーザ入力を介して決定されうる。示されたように、いくつかの事例では、基準気圧は、例えば、別の可能な実装を例示すると、基準高度の代わりに、または基準高度に加えて等で、全体的または部分的に使用されうる。ここで、気圧値は、例えば、（例えば、ショッピングモールのフロントドアにおいて読み取れる気圧を介して）関心のあるエリアへの入場時、または入場の際、等に、既知のロケーションにおいて基準値として設定または選択されうる。
【００３９】
[0044]時に、基準高度値は、例えば適したワイヤレス信号および気圧測定値の組み合わせを用いて決定されうる。いくつかの事例では、接近したＷｉ−Ｆｉアクセスポイントから獲得される無線周波数（ＲＦ）または同様の信号は、例えば、全体的または部分的に使用されうる。例えば、気圧測定値を介して検出された高度の変化は、フロア−天井の距離間隔、ひいてはフロアから天井までの高さ、を推定するために、獲得されたＲＦ信号の変化と何らかの方法で相関されうる。特定の屋内または同様の環境の構造的知識を用いて、最下フロアの高度は、例えば、（例えば、０．０メートル等に設定された）基準高度値を用いて基準ポイントまたはノードとして推定および選定されうる。もちろん、これらは単に、基準高度値を決定することに関連する例に過ぎず、請求されている主題は、そのように限定されない。時に、加速度計のような、慣性または動きセンサから取得された測定信号は、例えば、少なくとも部分的に、モバイルデバイスが横方向に移動しているか、上または下に動いているかを決定するために利用されうる。例えば、上または下への動きを示す加速度計信号は、モバイルデバイスのユーザがフロアを変更していることを伝えることができる。加速度計信号は、モバイルデバイスが、十分な、または適した距離の間を、横方向に移動していることを示す場合、例えば、関連付けられたユーザが、あるフロアレベル上にいることが推断されることができ、このことは１つまたは複数の適した、または適用可能なフロアをマッピングすることを許容しうる。関心のある特定の屋内または同様のエリア（例えば、特定のショッピングモール等）に関して決定された基準値（例えば、高度、気圧等）は、例えば、モバイルデバイスのメモリに記憶されるか、または適したサーバに通信されて少なくとも部分的に後続のパターンマッチング動作のために使用されうる。
【００４０】
[0045]図２の実例的なプロセス２００に戻って参照すると、動作２０４において、基準高度値に対するモバイルデバイスの高度は、例えば、モバイルデバイスの気圧センサを介して取得された１つまたは複数の気圧測定値に少なくとも部分的に基づいて測定されうる。例えば、１つまたは複数の気圧測定値は、１つの可能な実装を例示すると、適用可能な無線ヒートマップのノードに対応するロケーションのような、ある特定の所定のロケーションで取得されうる。いくつかの事例では、気圧測定値は、例えば、関心のある屋内または同様のエリア内で関連付けられたユーザが移動する間のような時間インターバルを通じて取得されうる。これらの測定値は、例えば、１つまたは複数の適した技法、コンバージョンファクタ、割合、調整等を使用して、相対的な高度にコンバートされうる。時間インターバルは、少なくとも部分的に経験に基づいて決定され得、特定のアプリケーション、環境、見取り図、または同様のものに依存して、例えば、予め定義または構成されるか、あるいはそうでなければ何らかの方法で動的に定義されうる。例えばいくつかの事例では、特定のＬＣＩを区別して識別する能力を有する、少なくとも１つの一意または区別可能な遷移を定義する時間インターバルは、少なくとも部分的に使用されうる。前に論じられたように、ある特定の所定のロケーションで時間インターバルを通じて取得された相対的な高度値の履歴は、例えば、圧力プロファイルを備える、またはその圧力ファイルを表すことができる。
【００４１】
[0046]動作２０６に関して、モバイルデバイスのロケーションは、例えば、１つまたは複数の気圧測定値を介して測定された相対的な高度および１つまたは複数の予測された高度値に関する少なくとも１つの信号パターンマッチング動作に少なくとも部分的に基づいて推定されうる。例えば、時に、信号パターンの適したサブセットは、例えば、ＬＣＩを介して識別可能な所定のロケーションに関連付けられた予測された高度値の複数の候補信号パターンを備えるデータベースから選択されうる。いくつかの事例では、信号パターンのサブセットは、例えば、示されたように、モバイルデバイスの粗の、または大まかなロケーションの決定に応答して選択されうる。ここで、選択された信号パターンは、例えば、モバイルデバイスの粗の、または大まかなロケーションによって定義されたエリア内の所定のロケーションに関連付けられたパターンを備えることができる。したがって、マッチングされるべき信号パターンの数は、例えば、モバイルデバイスの粗の、または大まかなロケーションによって定義されたエリアを識別する１つまたは複数の候補ＬＣＩに関連付けられたそれらのパターンに低減されうる。したがって、モバイルデバイスの粗の、または大まかなロケーションによって定義されたエリアの外にあるロケーションに関連付けられた１つまたは複数の信号パターンは、例えば、無視されうる。このことは、例えば、モバイルデバイス、サーバ、またはそれらのあらゆる組み合わせのような、パターンマッチング動作を実行する所与の処理リソースにとって結果を作り出す時間の量を減少させることができる。加えて、パターンマッチング動作に伴われる信号パターンの低減は、例えば、少なくとも部分的にプロセッサの作業負荷の低減に起因したモバイルデバイスの電力消費を改善することができる。請求されている主題は、もちろん、そのように限定されない。例えば、時に、ユーザが、必要以上に（rather）散在的に関心のあるエリア内で動くか、または移動する（例えば、速度を落とす、停止する、動き続ける、等）ことができるので、選択された信号パターンのサブセットは、例えば、予測された気圧または高度値に関連して慣性または動きセンサ（例えば、加速度計等）を用いて決定されるような、移動の推定された水平距離を備えることができる。したがって、移動の推定された水平距離は、以下で論じられるように、関心のある屋内または同様のエリアに関する圧力プロファイルにおいて反映されうる。
【００４２】
[0047]したがってある実装では、少なくとも１つのパターンマッチング動作が、例えば、少なくとも部分的に、信号パターンの選択されたサブセットを利用することを介して実行されうる。例えば、予測された高度値を備えるパターンのサブセット中の１つまたは複数の個別のパターンは、サブセットからの最も近いマッチングパターンを選択するために、相対的な高度値の信号パターン（例えば、圧力プロファイル等）と比較されうる。相対的な高度値が候補ＬＣＩに関連付けられた信号パターンにマッチングする一意のパターンを表現する場合、そのＬＣＩは、例えば、モバイルデバイスの推定されたロケーションを示すとして選択されうる。
【００４３】
[0048]示されたように、少なくとも１つの実装では、高度の代わりに、または高度に加えて、（例えば、予測された、相対的な、等の）コンバートされていない気圧値が、少なくとも部分的にローカリゼーションのために使用されうる。例えば、適したワイヤレス送信機における基準気圧値が取得され、フロアレベルは、取得された値に少なくとも部分的に基づいて、（例えば、適用可能な圧力プロファイルから）究明されうる。別の例として、気圧値の相対的な変化（例えば、差異等）は、モバイルデバイスによって、またはモバイルデバイスで取得され得、関心のある屋内または同様のエリア内の特定のフロアを一意に識別する能力を有する特定のロケーションまたは特徴と相関されうる。
【００４４】
[0049]図４は、１つまたは複数のＬＣＩを介して識別可能な、例えば、図３のエリア３００のような、関心のある屋内または同様のエリアに関して取得された圧力プロファイルを、一実施形態において例示している実例的なプロット４００である。例示されているように、圧力プロファイルは、例えば、ある特定の所定のロケーションで適した時間インターバルを通じて取得された１つまたは複数の気圧測定値に少なくとも部分的に基づいて測定された相対的な高度値の履歴を備えることができる。図示されている圧力プロファイルは単に、請求されている主題が限定されていない例に過ぎないことは認識されるべきである。例えば、いくつかの事例では、圧力プロファイルは、関心のある屋内または同様のエリア内のある特定の所定のロケーション間の移動の推定された水平距離の間で取得された値または気圧測定値の履歴を備えることができる。時に、圧力プロファイルは、例えば、示されたように、特定のフロアを一意に識別するために、全体的または部分的に使用されうる、あらゆる変更可能な、または変化された量（例えば、高度、気圧等の差異）の履歴を備えることができる。例えば、圧力プロファイルは、別の可能な実装を例示すると、特定のフロアを一意に識別するために、フロア機構の異なる高さに対応する高度および／または最大と最小の気圧測定値の間の差異の履歴を備えることができる。したがって、ある実装に依存して、圧力プロファイルを備える相対的な気圧値または同様のデータのパターンは、類似した方式で、無線ヒートマップまたは同様の測位支援データと組み合わせて、またはそれの一部として提供されるか、または違った方法で利用可能にされうる、予測された相対的な気圧値の信号パターン等の信号パターンと比較されうる。
【００４５】
[0050]図４に見られるように、プロット４００の第１の部分は、例えば、階段を通ってフロア１にユーザが動くことを示すパターンが続き、その後フロア１からフロア２に戻るように動くことを示すパターンが続く、フロア２を一意または区別して識別する相対的な高度値（例えば、エリア内の遷移等）のパターンを備えることができる。したがって上記で論じられたように、測位支援データの一部としてモバイルデバイスに通信されるか、またはモバイルデバイスによって取得されたような、予測された高度値を備える信号パターンがプロット４００の第１の部分のパターンにマッチングする場合、モバイルデバイスがフロア２上に位置することが決定されうる。したがって、フロア２または他の適した情報（例えば、デジタルマップ等）に関連付けられたＬＣＩは、例えば、モバイルデバイスによる使用のために提供されうる。フロア２、または、例えばユーザが階段を登ることを示すようなフロア１からフロア２への遷移、およびそれぞれの関連付けられたＬＣＩは、類似した方式で、相対的な高度値のそれぞれのパターンを用いて決定されうる。
【００４６】
[0051]図５は、屋内または同様の環境におけるより効果的または有効な測位のためのような、ＬＣＩを決定するように圧力プロファイル利用するための１つまたは複数の動作または技法を容易にする、またはサポートするために、少なくとも部分的に使用されうるモバイルデバイスに関連付けられた実例的なコンピューティング環境の実装の概略図である。実例的なコンピューティング環境は、例えば、図１のモバイルデバイス１００の１つまたは複数の特徴または態様を含むことができるモバイルデバイス５００を備えうるが、請求されている主題は、そのように限定されない。例えば、いくつかの事例では、モバイルデバイス５００は、例えば、適したワイヤレス通信ネットワーク上でアンテナ５０６を介して、概して５０４で参照される、ワイヤレス信号を送信または受信する能力を有するワイヤレストランシーバ５０２を備えることができる。ワイヤレストランシーバ５０２は、例えば、１つの可能な例として、図３を参照して論じられた１つまたは複数の通信のような、１つまたは複数の適した通信を伝送または受信する能力を有しうる。ワイヤレストランシーバ５０２は、例えば、ワイヤレストランシーババスインタフェース５１０を介してバス５０８に結合または接続されうる。ある実装に依存して、時に、ワイヤレストランシーババスインタフェース５１０は、例えば、ワイヤレストランシーバ５０２と少なくとも部分的に一体化されうる。いくつかの実装は、いくつか例を挙げると、ワイヤレスフィデリィティ（ＷｉＦｉ）、符号分割多元接続（ＣＤＭＡ）、広帯域ＣＤＭＡ（Ｗ−ＣＤＭＡ（登録商標））、ロングタームエボリューション（ＬＴＥ）、Ｂｌｕｅｔｏｏｔｈ等の対応するマルチプルワイヤレス通信規格に従って、信号を送信または受信することを可能にするために、複数のワイヤレストランシーバ５０２またはアンテナ５０６を含むことができる。
【００４７】
[0052]ある実装では、モバイルデバイス５００は、例えば、ＳＰＳまたは同様のアンテナ５１６を介して等で、１つまたは複数のＳＰＳまたは他の適したワイヤレス信号５１４を受信または獲得する能力を有する、ＳＰＳまたは同様の受信機５１２を備えることができる。ＳＰＳ受信機５１２は、モバイルデバイス５００の、粗のまたは違った形のロケーションを推定するために、１つまたは複数の獲得されたＳＰＳ信号５１４を、全体的または部分的に処理することができる。いくつかの事例では、１つまたは複数の汎用アプリケーションプロセッサ５１８、メモリ５２０、（１つまたは複数の）デジタルシグナルプロセッサ（ＤＳＰ）５２２、または図示されていない同様の専用デバイスもしくはプロセッサは、全体的または部分的に、獲得されたＳＰＳ信号５１４を処理する、ＳＰＳ受信機５１２と連携して等でモバイルデバイス５００のロケーションを計算する、または同様のことのために利用されうる。例えばＬＣＩを決定するために圧力プロファイルを利用するための１つまたは複数の技法に関連して１つまたは複数の測位動作を実行するためのＳＰＳまたは他の信号の記憶は、例えば、メモリ５２０、適したレジスタまたはバッファ（図示せず）において、少なくとも部分的に実行されうる。図示されていないけれども、少なくとも一実施形態において、１つまたは複数のプロセッサ５１８、メモリ５２０、ＤＳＰ５２２、または同様の専用デバイスまたはプロセッサが、ＬＣＩを介して識別されたエリアにおける複数の所定のロケーションを定義する無線ヒートマップを備える測位支援データを取得することと、ここにおいて無線ヒートマップは、エリア内の基準高度値に対する所定のロケーションの少なくともいくつかに関する１つまたは複数の予測された高度値を備える；モバイルデバイスの気圧センサを介して取得された１つまたは複数の気圧測定値に少なくとも部分的に基づいて、基準高度値に対するモバイルデバイスの高度を測定することと；１つまたは複数の気圧測定値を介して測定された高度および１つまたは複数の予測された高度値に関する少なくとも１つの信号パターンマッチング動作に少なくとも部分的に基づいて、モバイルデバイスのロケーションを推定することと、を備えることができることは、認識されるべきである。また、１つまたは複数の処理モジュールのすべてまたは一部が、ハードウェア、ファームウェア、ソフトウェア、またはこれらのあらゆる組み合わせを使用して、または違った形でこれらを含んで実装されうることは留意されるべきである。
【００４８】
[0053]例示されているように、ＤＳＰ５２２は、バス５０８を介して、プロセッサ５１８およびメモリ５２０に結合または接続されうる。図示されていないけれども、いくつかの事例では、バス５０８は、ＤＳＰ５２２、プロセッサ５１８、メモリ５２０、または同様のもの等のような、モバイルデバイス５００の１つまたは複数の適用可能なコンポーネントと一体化されうる１つまたは複数のバスインタフェースを備えることができる。様々な実施形態において、本明細書で説明されている１つまたは複数の動作また機能が、いくつか例を挙げると、ＲＡＭ、ＲＯＭ、ＦＡＬＳＨ、ディスクドライブ等のような、コンピュータ可読記憶媒体上等で、メモリ５２０に記憶された１つまたは複数の機械可読命令の実行に応答して実行されうる。命令は、例えば、プロセッサ５１８、図示されていない１つまたは複数の専用プロセッサ、ＤＳＰ５２２、または同様のものを介して実行可能でありうる。メモリ５２０は、本明細書で説明された動作または機能を実行するために、プロセッサ５１８、ＤＳＰ５２２、または同様のものによって実行可能でありうるソフトウェアコード（例えば、プログラミングコード、命令等）を記憶しうる、非一時的なプロセッサ可読メモリ、コンピュータ可読メモリ等を備えることができる。
【００４９】
[0054]モバイルデバイス５００は、ユーザインタフェース５２４を備えることができ、これは、いくつかの例を挙げると、例えば、スピーカ、マイクロフォン、ディスプレイデバイス、振動デバイス、キーボード、タッチスクリーン等のような、いくつかのデバイスのうちのいずれか１つを含むことができる。少なくとも１つの実装では、ユーザインタフェース５２４は、ユーザが、モバイルデバイス５００上でホスト（hosted）される１つまたは複数のアプリケーションと対話することを可能にすることができる。例えば、ユーザインタフェース５２４の１つまたは複数のデバイスは、ユーザからの入力またはアクションに応答して、ＤＳＰ５２２、プロセッサ５１８等によってさらに処理されるアナログまたはデジタル信号をメモリ５２０上に記憶することができる。同様に、モバイルデバイス５００上でホストされる１つまたは複数のアプリケーションは、ユーザに出力信号を表すために、メモリ５２０にアナログまたはデジタル信号を記憶することができる。いくつかの実装では、モバイルデバイス５００は、オプションとして、例えば、専用スピーカ、マイクロフォン、デジタル−アナログ回路、アナログ−デジタル回路、増幅器、利得制御、または同様のものを備える専用オーディオ入力／出力（Ｉ／Ｏ）デバイス５２６を含むことができる。しかしながら、これは単に、どのようにオーディオＩ／Ｏデバイス５２６が実装されうるかの例に過ぎず、請求されている主題は、この点に関して限定されないことが理解されるべきである。理解されるように、モバイルデバイス５００は、キーボード、タッチスクリーン、または同様のもの上に加えられた（applied on）接触または同様の圧力に応答して、１つまたは複数のタッチセンサ５２８を備えることができる。
【００５０】
[0055]ある実装では、モバイルデバイス５００は、例えば、静止または動画像、あるいは同様のものをキャプチャするためのような、専用または違う形式の、カメラ５３０を備えることができる。カメラ５３０は、いくつかの例を挙げると、例えば、カメラセンサまたは同様の撮像デバイス（例えば、電荷結合素子、相補形金属酸化膜半導体（ＣＭＯＳ）型撮像装置等）、レンズ、アナログ−デジタル回路、フレームバッファ等を備えることができる。いくつかの事例では、１つまたは複数のキャプチャされた画像を表す信号の追加の処理、調整、符号化、または圧縮が、例えば、プロセッサ５１８、ＤＳＰ５２２、または同様のものにおいて、少なくとも部分的に実行されうる。オプションとしてまたは代わりとして、専用のまたは違う形式のビデオプロセッサ５３２は、１つまたは複数のキャプチャされた画像を表す信号の調整、符号化、圧縮、または操作を実行することができる。さらに、ビデオプロセッサ５３２は、例えば、モバイルデバイス５００のディスプレイ（図示せず）上での表示のために、１つまたは複数の記憶された画像を復号または解凍することができる。
【００５１】
[0056]モバイルデバイス５００は、例えば、１つまたは複数の慣性センサ、周辺環境センサなどのような、バス５０８に結合または接続された１つまたは複数のセンサ５３４を備えることができる。センサ５３４の慣性センサは、いくつか例を例示すると、例えば、（例えば、１次元、２次元、または３次元等のモバイルデバイス５００の加速度に集合的に反応する）１つまたは複数の加速度計、（例えば、１つまたは複数のコンパスアプリケーションまたは同様のアプリケーション等をサポートするための）ジャイロスコープまたは磁気計等を備えることができる。モバイルデバイス５００の周辺環境センサは、いくつか例を挙げると、例えば、１つまたは複数の温度センサ、周辺光検出器、カメラセンサ、マイクロフォン等を備えることができる。これもまた例示されているように、モバイルデバイス５００は、例えば、本明細書で論じられている１つまたは複数の動作または技法を容易にする、またはサポートするために、モバイルデバイス５００の気圧および／または高度を測定する能力を有する１つまたは複数の気圧センサ５３５を備えることができる。１つまたは複数の気圧センサ５３５は、例えばセンサ５３４の１つまたは複数の他のセンサ（例えば、慣性、周辺環境等）と組み合わせて、または別個で、関心のある屋内または同様のエリア内にあるような、１つまたは複数のＬＣＩを決定する能力を有しうる。センサ５３４および／または５３５は、例えば測位またはナビゲーションの動作、ワイヤレス通信、ゲーミング、または同様のものに向けられた１つまたは複数のアプリケーションをサポートして、メモリ５２０に記憶され得、かつＤＳＰ５２２、プロセッサ５１８等によって処理されることができるアナログまたはデジタル信号を生成することができる。
【００５２】
[0057]特定の実装では、モバイルデバイス５００は、ワイヤレストランシーバ５０２、ＳＰＳ受信機５１２、または同様のものを介して受信またはダウンコンバートされた信号のベースバンド処理を実行する能力を有する、専用または違った形でのモデムプロセッサ５３６を備えることができる。同様に、モデムプロセッサ５３６は、例えば、ワイヤレストランシーバ５０２を介した送信のためにアップコンバートされるべき信号のベースバンド処理を実行することができる。代わりの実装では、専用モデムプロセッサを有する代わりに、ベースバンド処理は、プロセッサ５１８、ＤＳＰ５２２、または同様のものによって、少なくとも部分的に実行されうる。加えて、いくつかの事例では、インタフェース５３８は、個別のコンポーネントとして例示されているけれども、例えば、バス５０８またはＳＰＳ受信機５１２のようなモバイルデバイス５００の１つまたは複数の適用可能なコンポーネントと、全体的または部分的に、一体化されうる。オプションとしてまたは代わりとして、ＳＰＳ受信機５１２は、バス５０８に直接に結合または接続されうる。しかしながら、これらは単に、ベースバンド処理を実行することができるコンポーネントまたは構造の例に過ぎず、請求されている主題がこの点に関して限定されないことは理解されるべきである。
【００５３】
[0058]図６は、例えば、図１−４に関連して上記に論じられたような、屋内または同様の環境におけるより効果的または有効な測位のためのような、ＬＣＩを決定するように圧力プロファイルを利用するための１つまたは複数の動作または技法を部分的または実質的に実装またはサポートする能力を有する１つまたは複数のサーバまたは他のデバイスに関連付けられるか、またはそれらを含むことができる実例的なコンピューティング環境またはシステム６００の実装を例示している概略図である。コンピューティング環境６００は、例えば、第１のデバイス６０２、第２のデバイス６０４、第３のデバイス６０６等を含むことができ、これらは、通信ネットワーク６０８を介して動作可能に互いに結合されうる。いくつかの事例では、第１のデバイス６０２は、例えば、既知のワイヤレス送信機のアイデンティティまたはロケーション、相対的な高度値を有する無線ヒートマップ、基地局アルマナック、デジタルマップ、ＬＣＩ、または同様のもののような、測位支援データを提供する能力を有するサーバを備えることができる。例えば、第１のデバイス６０２はまた、モバイルデバイスのロケーションの粗の、または大まかな推定に少なくとも部分的に基づいて、要求しているモバイルデバイスにＬＣＩを提供する能力を有するサーバも備えることができる。第１のデバイス６０２はまた、モバイルデバイスからの要求において指定されるＬＣＩのロケーションに関連する屋内測位支援データを提供する能力を有するサーバも備えることができる。第２のデバイス６０４または第３のデバイス６０６は、例えば、モバイルデバイスを備えることができるけれども、請求されている主題はそのように限定されない。例えばいくつかの事例では、第２のデバイス６０４は、別の可能な実装を例示すると、第１のデバイス６０２に機能的に、または構造的に類似するサーバを備えることができる。加えて、通信ネットワーク６０８は、例えば、アクセスポイント、フェムトセル、または同様のもののような、１つまたは複数のワイヤレス送信機を備えることができる。もちろん、請求されている主題は、これらの点に関して範囲が限定されない。
【００５４】
[0059]第１のデバイス６０２、第２のデバイス６０４、または第３のデバイス６０６は、通信ネットワーク６０８をわたって情報を交換する能力を有しうるあらゆるデバイス、機器（appliance）、プラットフォーム、または機械を表すことができる。限定ではなく例として、第１のデバイス６０２、第２のデバイス６０４、または第３のデバイス６０６のいずれも、例えば、デスクトップコンピュータ、ラップトップコンピュータ、ワークステーション、サーバデバイス、または同様のもののような、１つまたは複数のコンピューティングデバイスまたはプラットフォーム；例えば、携帯情報端末、モバイル通信デバイス、または同様のもののような、１つまたは複数のパーソナルコンピューティングまたは通信デバイスまたは機器；例えば、データベースまたは情報記憶サービスプロバイダ／システム、ネットワークサービスプロバイダ／システム、インターネットまたはイントラネットサービスプロバイダ／システム、ポータルまたは検索エンジンサービスプロバイダ／システム、ワイヤレス通信サービスプロバイダ／システムのようなコンピューティングシステムまたは関連付けられたサービスプロバイダ機能；またはこれらのあらゆる組み合わせを含むことができる。第１、第２、および第３のデバイス６０２、６０４、および６０６のいずれも、それぞれ、本明細書で説明されている実例的な実装にしたがって、モバイルデバイス、ワイヤレス送信機または受信機、サーバ等のうちの１つまたは複数を備えることができる。
【００５５】
[0060]ある実装では、通信ネットワーク６０８は、第１のデバイス６０２、第２のデバイス６０４、または第３のデバイス６０６のうちの少なくとも２つの間の情報の交換をサポートする能力を有する１つまたは複数の通信リンク、プロセス、またはリソースを表すことができる。限定ではなく例として、通信ネットワーク６０８は、ワイヤレスまたは有線の通信リンク、電話またはテレコミュニケーションシステム、情報バスまたはチャネル、光ファイバ、地上または宇宙ビークルリソース、ローカルエリアネットワーク、広域ネットワーク、イントラネット、インターネット、ルータまたはスイッチ等、またはこれらのあらゆる組み合わせを含むことができる。例えば、第３のデバイス６０６によって部分的に覆い隠されている点線のボックスを用いて例示されているように、通信ネットワーク６０８に動作可能に結合された追加の同様のデバイスが存在しうる。本明細書で説明されているような、プロセスまたは方法、またはコンピューティング環境６００において図示されている様々なデバイスまたはネットワークのすべてまたは一部が、ハードウェア、ファームウェア、ソフトウェア、またはそれらのあらゆる組み合わせを使用して、または違った形でこれらを含んで、実装されうることも認識される。
【００５６】
[0061]限定ではなく例として、第２のデバイス６０４は、バス６１４を介してメモリ６１２に動作可能に結合されうる少なくとも１つの処理ユニット６１０を含むことができる。処理ユニット６１０は、適したコンピューティングプロシージャまたはプロセスの少なくとも一部を実行する能力を有する１つまたは複数の回路を表すことができる。例えば、処理ユニット６１０は、１つまたは複数のプロセッサ、コントローラ、マイクロプロセッサ、マイクロコントローラ、特定用途向け集積回路、デジタルシグナルプロセッサ、プログラマブル論理デバイス、フィールドプログラマブルゲートアレイ、または同様のもの、あるいはそれらのあらゆる組み合わせを含むことができる。
【００５７】
[0062]メモリ６１２は、任意の情報記憶メカニズムまたは機器を表すことができる。メモリ６１２は、例えば、プライマリメモリ６１６およびセカンダリメモリ６１８を含むことができる。プライマリメモリ６１６は、例えば、ランダムアクセスメモリ、読取専用メモリ、等を含むことができる。この例では処理ユニット６１０とは別個であるとして例示されているけれども、プライマリメモリ６１６のすべてまたは一部が、処理ユニット６１０内で提供されうる、またはそうでなければ処理ユニット６１０と同じ場所に位置しうる／処理ユニット６１０と結合されうる、ことは理解されるべきである。セカンダリメモリ６１８は、例えば、プライマリメモリまたは、例えばディスクドライブ、光学ディスクドライブ、テープドライブ、ソリッドステートメモリドライブ等のような１つまたは複数の情報記憶デバイスまたはシステムと同じまたは類似したタイプのメモリを含むことができる。ある特定の実装では、セカンダリメモリ６１８は、コンピュータ可読媒体６２０を動作可能に受け入れ可能でありうる、またはそうでなければコンピュータ可読媒体３２０に結合するように構成可能でありうる。コンピュータ可読媒体６２０は、例えば、コンピューティング環境６００における１つまたは複数のデバイスに関する情報、コード、または命令を搬送しうるか、またはそれらをアクセス可能にしうるあらゆる非一時的な記憶媒体を含むことができる。コンピュータ可読媒体６２０はまた、記憶媒体とも称されうる。
【００５８】
[0063]第２のデバイス６０４は、例えば、少なくとも通信ネットワーク６０８への第２のデバイス６０４の動作可能な結合を提供する、またはそうでなければサポートすることができる通信インタフェース６２２を含むことができる。限定ではなく例として、通信インタフェース６２２は、ネットワークインタフェースデバイスまたはカード、モデム、ルータ、スイッチ、トランシーバ等を含むことができる。第２のデバイス６０４はまた、例えば、入力／出力デバイス６２４も含むことができる。入力／出力デバイス６２４は、人間または機械の入力を受け付ける、または違った形で導入するように構成可能でありうる１つまたは複数のデバイスまたは機構、あるいは、人間または機械の出力を配信する、または違った形で提供する能力を有しうる１つまたは複数のデバイスまたは機構を表すことができる。限定ではなく例として、入力／出力デバイス６２４は、動作可能に構成されたディスプレイ、スピーカ、キーボード、マウス、トラックボール、タッチスクリーン、情報ポート、または同様のものを含むことができる。
【００５９】
[0064]本明細書で説明されている方法は、特定の特徴または例にしたがったアプリケーションに依存して、様々な手段によって実装されうる。例えば、方法は、ハードウェア、ファームウェア、ソフトウェア、個別／固定論理回路、これらのあらゆる組み合わせ等で実装されうる。ハードウェアまたは論理回路の実装では、例えば、処理ユニットは、いくつか例を挙げると、１つまたは複数の特定用途向け集積回路（ＡＳＩＣ）、デジタルシグナルプロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明されている機能を実行するように設計された他のデバイスまたはユニット、あるいはこれらの組み合わせ内で実装されうる。
【００６０】
[0065]ファームウェアまたはソフトウェア実装では、方法は、本明細書で説明されている機能を実行する命令を有するモジュール（例えば、プロシージャ、関数等）を用いて実装されうる。命令を有形に具現化するあらゆるコンピュータ可読媒体が、本明細書で説明されている方法を実行する際に使用されうる。例えば、ソフトウェアコードは、メモリに記憶され、プロセッサによって実行されうる。メモリは、プロセッサ内またはプロセッサの外部に実装されうる。本明細書で使用される場合、「メモリ」という用語は、あらゆるタイプの長期メモリ、短期メモリ、揮発性メモリ、不揮発性メモリ、または他のメモリを指し得、メモリの任意の特定のタイプまたはメモリの数、あるいはメモリが記憶される媒体のタイプに限定されない。少なくともいくつかの実装では、本明細書で説明されている記憶媒体の１つまたは複数の部分は、記憶媒体の特定の状態によって表現されるような情報を表す信号を記憶することができる。例えば、情報を表す電子信号は、情報を２値情報として（例えば、１と０によって）表すために、記憶媒体のそのような部分の状態に影響を及ぼすまたは変更することによって、記憶媒体（例えば、メモリ）のある部分に「記憶」されうる。したがって、特定の実装では、情報を表す信号を記憶するための記憶媒体のその部分の状態のそのような変更は、種々の状態または物への記憶媒体の変換を構成する。
【００６１】
[0066]示されたように、１つまたは複数の実例的な実装では、説明されている機能が、ハードウェア、ソフトウェア、ファームウェア、個別／固定論理回路、およびこれらの何らかの組み合わせ等で実装されうる。ソフトウェアで実装される場合、機能は、１つまたは複数の命令またはコードとして物理的なコンピュータ可読媒体上に記憶されうる。コンピュータ可読媒体は、物理的コンピュータ記憶媒体を含む。記憶媒体は、コンピュータによってアクセスされうる、あらゆる利用可能な物理媒体であることができる。限定ではなく例として、このようなコンピュータ可読媒体は、ＲＡＭ、ＲＯＭ、ＥＥＰＲＯＭ（登録商標）、ＣＤ−ＲＯＭまたは他の光学ディスクストレージ、磁気ディスクストレージまたは他の磁気ストレージデバイス、あるいは命令または情報構造の形態で所望のプログラムコードを記憶するために使用されることができ、かつコンピュータまたはそのプロセッサによってアクセスされることができるあらゆる他の媒体を備えることができる。本明細書で使用される場合、ディスク（disk）およびディスク（disc）は、コンパクトディスク（ＣＤ）、レーザーディスク（登録商標）、光学ディスク、デジタル多目的ディスク（ＤＶＤ）、フロッピー（登録商標）ディスクおよびブルーレイディスクを含み、ここで、ディスク（disk）は、大抵、磁気的に情報を再生し、一方、ディスク（disc）は、レーザーを用いて光学的に情報を再生する。
【００６２】
[0067]上記で説明されたように、モバイルデバイスは、１つまたは複数のワイヤレス通信技法を使用して、様々な通信ネットワーク上での情報のワイヤレス送信または受信を介して１つまたは複数の他のデバイスと通信する能力を有しうる。ここで、例えば、ワイヤレス通信技法は、ワイヤレス広域ネットワーク（ＷＷＡＮ）、ワイヤレスローカルエリアネットワーク（ＷＬＡＮ）、ワイヤレスパーソナルエリアネットワーク（ＷＰＡＮ）、または同様のものを使用して実装されうる。「ネットワーク」および「システム」という用語は、本明細書では交換可能に使用されうる。ＷＷＡＮは、符号分割多元接続（ＣＤＭＡ）ネットワーク、時間分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、ロングタームエボリューション（ＬＴＥ）ネットワーク、ＷｉＭＡＸ（ＩＥＥＥ８０２．１６）ネットワーク等でありうる。ＣＤＭＡネットワークは、いくつかの無線技術を挙げると、ｃｄｍａ２０００、広帯域ＣＤＭＡ（Ｗ−ＣＤＭＡ）、時分割同期符号分割多元接続（ＴＤ−ＳＣＤＭＡ）のような１つまたは複数の無線アクセス技術（ＲＡＴ）を実装することができる。ここで、ｃｄｍａ２０００は、ＩＳ−９５、ＩＳ−２０００、およびＩＳ−８５６規格にしたがって実装される技術を含むことができる。ＴＤＭＡネットワークは、モバイル通信用グローバルシステム（ＧＳＭ（登録商標））、デジタルアドバンストモバイル電話システム（Ｄ−ＡＭＰＳ）、または何らかの他のＲＡＴを実装することができる。ＧＳＭおよびＷ−ＣＤＭＡは、「第３世代パートナーシッププロジェクト」（３ＧＰＰ）という名称のコンソーシアムによる文書で説明されている。ｃｄｍａ２０００は、「第３世代パートナーシッププロジェクト２」（３ＧＰＰ２）という名称のコンソーシアムによる文書で説明されている。３ＧＰＰおよび３ＧＰＰ２の文書は、公に入手可能である。例えば、ＷＬＡＮは、ＩＥＥＥ８０２．１１ｘネットワークを含むことができ、ＷＰＡＮは、Ｂｌｕｅｔｏｏｔｈネットワーク、ＩＥＥＥ８０２．１５ｘ、または何らかの他のタイプのネットワークを含むことができる。技法はまた、ＷＷＡＮ、ＷＬＡＮ、またはＷＰＡＮのあらゆる組み合わせと連携して実行されうる。ワイヤレス通信ネットワークは、例えば、ロングタームエボリューション（ＬＴＥ）、アドバンストＬＴＥ、ＷｉＭＡＸ、ウルトラモバイルブロードバンド（ＵＭＢ）、または同様のもののような、いわゆる次世代技術（例えば、「４Ｇ」）を含むことができる。
【００６３】
[0068]ある実装では、モバイルデバイスは、例えばそのロケーションを推定すること、測位支援データを取得すること、セルラ電話サービスをビジネスまたは家庭に拡張すること、または同様のものを目的として、例えば、１つまたは複数のフェムトセルと通信する能力を有しうる。本明細書で使用される場合、「フェムトセル」は、１つまたは複数の適切な技法を使用してモバイルデバイスから送信されるワイヤレス信号を検出する能力を有しうる１つまたは複数のより小さなサイズのセルラ基地局を指しうる。必ずしもではないが通常、フェムトセルは、多くの可能性の中からいくつか例を挙げると、例えば、ユニバーサルモバイルテレコミュニケーションシステム（ＵＴＭＳ）、ロングタームエボリューション（ＬＴＥ）、エボリューションデータオプティマイズドまたはエボリューションデータオンリ（ＥＶ−ＤＯ）、ＧＳＭ、ワールドワイドインターオペラビリティフォーマイクロウェイブアクセス（ＷｉＭＡＸ）、符号分割多元接続（ＣＤＭＡ）−２０００、または時分割同期符号分割多元接続（ＴＤ−ＳＣＤＭＡ）のような、様々なタイプの通信技法を利用することができる、またはそうでなければそれらとの互換性を有することができる。ある特定の実装では、フェムトセルは、例えば、一体型ＷｉＦｉを備えることができ、インターネットのような、別の広帯域ネットワークを経由して、より大きなセルラテレコミュニケーションネットワークへのモバイルデバイスアクセスを提供することができる。しかしながら、フェムトセルに関連するこのような詳細は単に例に過ぎず、請求されている主題は、そのように限定されない。
【００６４】
[0069]本明細書で説明されている技法は、いくつかのＧＮＳＳまたはＧＮＳＳの組み合わせのうちの任意の１つを含むＳＰＳを用いて使用されうる。さらに、技法は、「シュードライト」として機能する地上送信機、またはＳＶとそのような地上送信機との組み合わせを利用する測位システムを用いて使用されうる。地上送信機は、例えば、ＰＮコードまたは（例えば、ＧＰＳまたはＣＤＭＡセルラ信号等に類似した）他のレンジングコードをブロードキャストする地上ベースの送信機を含むことができる。そのような送信機は、遠隔受信機による識別を可能するために、一意のＰＮコードを割り当てられうる。地上送信機は、例えば、トンネル、鉱山、建物、都市ビルの谷間または他の囲まれたエリア内のような、軌道を回るＳＶからのＳＰＳ信号が利用できないことがある状況においてＳＰＳを補強するのに有用でありうる。シュードライトの別の実装は、無線ビーコンとして知られている。本明細書で使用される場合、「スペースビークル」（ＳＶ）という用語は、シュードライト、シュードライトの均等物、および場合によっては他のものとして機能する地上送信機を含むように意図されている。本明細書で使用される場合、「ＳＰＳ信号」または「ＳＶ信号」という用語は、シュードライトまたはシュードライトの均等物として機能する地上送信機を含む、地上送信機からのＳＰＳのような（SPS-like）信号を含むように意図されている。
【００６５】
[0070]また、コンピュータ可読コードまたは命令は、送信機から受信機に物理伝送媒体上で信号を介して（例えば、電気デジタル信号を介して）送信されうる。例えば、ソフトウェアは、同軸ケーブル、光ファイバケーブル、ツイストペア、デジタル加入者回線（ＤＳＬ）、または赤外線、電波、およびマイクロ波などのワイヤレス技術の物理コンポーネントを使用して、ウェブサイト、サーバ、または他の遠隔ソースから送信されうる。上記の組み合わせもまた、物理伝送媒体の範囲内に含まれうる。そのようなコンピュータ命令は、異なる時間に（例えば、第１および第２の時間に）複数の部分（例えば、第１および第２の部分）において送信されうる。この発明を実施するための形態のいくつかの部分は、特定の装置または専用コンピューティングデバイスまたはプラットフォームのメモリ内に記憶された２値デジタル信号に対する演算のアルゴリズムまたは記号表現という観点から表されている。この特定の明細書のコンテキストでは、特定の装置または同様のもの、の用語は、一度プログラムソフトウェアからの命令に則って特定の関数を実行するようにプログラムされた汎用コンピュータを含む。アルゴリズム的記述または記号表現は、信号処理または関連する技術分野における当業者によって、彼らの作業の内容（substance）を他の当業者に伝えるために使用される技法の例である。アルゴリズムは、本明細書では、また一般に、所望の結果をもたらす演算または同様の信号処理の首尾一貫したシーケンス（self-consistent sequence）であるとみなされる。このコンテキストにおいて、動作または処理は、物理量の物理的な操作を伴う。必ずしもではないが通常、これらの量は、記憶される、転送される、組み合わされる、比較される、または違った形で操作される能力を有する、電気信号または磁気信号の形態をとることができる。
【００６６】
[0071]主に一般的な使用の理由で、信号を、ビット、情報、値、要素、シンボル、文字、変数、項（terms）、数、数字、情報、または同様のものと称することは、時に便利であることが分かっている。しかしながら、これらまたは同様の用語のすべてが、適切な物理量と関連付けられるものであり、単に便利なラベルに過ぎないことは理解されるべきである。別段に違った形で述べられていない限り、上記の議論から明らかであるように、本明細書全体を通して、「処理する」、「計算する」、「算出する」、「決定する」、「究明する」、「識別する」、「関連付ける」、「測定する」、「実行する」、または同様のことのような用語を利用する本明細書の議論は、専用コンピュータまたは類似した専用電子コンピューティングデバイスのような、特定の装置の動作またはプロセスを指すことが認識される。したがって、本明細書のコンテキストでは、専用コンピュータまたは類似した専用電子コンピューティングデバイスは、専用コンピュータまたは類似した専用電子コンピューティングデバイスのメモリ、レジスタ、または他の情報記憶デバイス、送信デバイス、またはディスプレイデバイス内の、物理電子的、電気的、または磁気的な量として通常表される信号を操作または変換する能力を有する。
【００６７】
[0072]本明細書で使用される場合、「および」および「または」という用語は、このような用語が使用されるコンテキストに少なくとも部分的に依存することも予測される、様々な意味を含むことができる。通常、「または」がＡ、Ｂ、またはＣのようなリストを関連付けるために使用される場合、Ａ、Ｂ、およびＣを意味するように意図されており、ここでは包含的な意味で使用され、さらにはＡ、Ｂ、またはＣを意味するようにも意図され、ここでは排他的な意味で使用される。本明細書の全体にわたる「１つの例」または「例」への参照は、その例に関連して説明されている特定の特徴、構造、または特性が、請求されている主題の少なくとも１つの例において含まれることを意味する。したがって、本明細書の全体にわたる様々な箇所にある「１つの例では」または「例」という句の出現は、必ずしもすべてが同じ例を指すわけではない。加えて、本明細書で使用される場合、「１つまたは複数」という用語は、単数形における任意の特徴、構造、または特性を説明するために使用されることができ、または特徴、構造、または特性の何らかの組み合わせを説明するために使用されうる。しかし、これは単に例示的な例に過ぎず、請求されている主題は、この例に限定されないことに留意されるべきである。さらに、特定の特徴、構造、または特性は、１つまたは複数の例において組み合わされうる。本明細書で説明されている例は、デジタル信号を使用して動作する機械、デバイス、エンジン、または装置を含むことができる。そのような信号は、電子信号、光信号、電磁信号、またはロケーション間で情報を提供するあらゆる形態のエネルギを備えることができる。
【００６８】
[0073]ある特定の実例的な技法が、様々な方法またはシステムを使用して本明細書で説明および図示されているけれども、請求されている主題から逸脱することなく、様々な他の修正が行なわれることができ、均等物が代用されることができることは、当業者によって理解されるべきである。さらに、本明細書で説明されている主要概念から逸脱することなく、請求されている主題の教示に特定の状況を適合させるために、多くの修正が行なわれうる。したがって、請求されている主題は、開示されている特定の例に限定されないが、このような請求されている主題は、添付の請求項の範囲内に入るすべての実装およびその均等物を含むことができることが意図されている。
【図１】
2016526151.tif 000003
【図２】
2016526151.tif 000004
【図３】
2016526151.tif 000005
【図４】
2016526151.tif 000006
【図５】
2016526151.tif 000007
【図６】
2016526151.tif 000008
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
モバイルデバイスにおいて、ロケーションコンテキスト識別子（ＬＣＩ）を介して識別されたエリアにおける複数の所定のロケーションを定義する無線ヒートマップを備える測位支援データを取得すること、ここにおいて前記無線ヒートマップは、前記エリア内の基準高度値に対する前記所定のロケーションの少なくともいくつかに関する１つまたは複数の予測された高度値を含む前記ＬＣＩを示す圧力プロファイルを備える、と、
前記モバイルデバイスの気圧センサを介して取得された１つまたは複数の気圧測定値に少なくとも部分的に基づいて、前記基準高度値に対する前記モバイルデバイスの高度を測定することと、
前記１つまたは複数の気圧測定値を介して測定された前記高度および前記１つまたは複数の予測された高度値に関する少なくとも１つの信号パターンマッチング動作に少なくとも部分的に基づいて、前記モバイルデバイスのロケーションを推定することと
を備える、方法。
【請求項２】
前記少なくとも１つの信号パターンマッチング動作は、前記ＬＣＩに関して決定された複数の候補信号パターンの中から信号パターンを選択することに少なくとも部分的に基づく、
請求項１に記載の方法。
【請求項３】
前記複数の候補信号パターンの中から前記信号パターンを前記選択することは、最も近い信号パターンマッチングを決定するために、前記１つまたは複数の気圧測定値を介して測定された前記高度と、前記１つまたは複数の予測された高度値を比較することを備える、
請求項２に記載の方法。
【請求項４】
前記基準高度値は、衛星測位システム（ＳＰＳ）を介して取得された最近のポジションフィックス、ワイヤレス信号と気圧測定値との組み合わせ、ユーザ入力、またはそれらの任意の組み合わせのうちの少なくとも１つに少なくとも部分的に基づいて決定される、
請求項１に記載の方法。
【請求項５】
前記モバイルデバイスの前記ロケーションは、時間インターバルを通じて取得された前記１つまたは複数の気圧測定値を介して測定された前記高度の履歴に少なくとも部分的に基づいて推定される、
請求項１に記載の方法。
【請求項６】
前記１つまたは複数の気圧測定値を介して測定された前記高度の前記履歴は、前記エリア内の前記複数の所定のロケーションに関して取得された前記圧力プロファイルを備える、
請求項５に記載の方法。
【請求項７】
前記１つまたは複数の気圧測定値を介して測定された前記高度の前記履歴は、前記エリア内で前記モバイルデバイスのユーザが移動する間に取得される、
請求項５に記載の方法。
【請求項８】
前記無線ヒートマップは、前記所定のロケーションにおける予測された受信信号強度値、前記所定のロケーションにおける予測された往復時間値、またはそれらの任意の組み合わせのうちの少なくとも１つをさらに備える、
請求項１に記載の方法。
【請求項９】
前記少なくとも１つの信号パターンマッチング動作は、前記モバイルデバイスの粗のロケーションの決定に応答して実行される、
請求項１に記載の方法。
【請求項１０】
前記モバイルデバイスの前記粗のロケーションの前記決定に応答して実行された前記少なくとも１つの信号パターンマッチング動作は、前記ＬＣＩに関して決定された、かつデータベースに記憶された信号パターンのサブセットから信号パターンを選択することに少なくとも部分的に基づく、
請求項９に記載の方法。
【請求項１１】
前記１つまたは複数の予測された高度値は、前記無線ヒートマップと組み合わせて、または前記無線ヒートマップの一部として提供される、
請求項１に記載の方法。
【請求項１２】
ロケーションコンテキスト識別子（ＬＣＩ）を介して識別されたエリアにおける複数の所定のロケーションを定義する無線ヒートマップを備える測位支援データを取得するためにワイヤレスネットワークと通信するためのワイヤレストランシーバ、ここにおいて前記無線ヒートマップは、前記エリア内の基準高度値に対する前記所定のロケーションの少なくともいくつかに関する１つまたは複数の予測された高度値を含む前記ＬＣＩを示す圧力プロファイルを備える、と、
モバイルデバイスの気圧センサを介して取得された１つまたは複数の気圧測定値に少なくとも部分的に基づいて、前記基準高度値に対する前記モバイルデバイスの高度を測定するための前記気圧センサと、
前記１つまたは複数の気圧測定値を介して測定された前記高度および前記１つまたは複数の予測された高度値に関する少なくとも１つの信号パターンマッチング動作に少なくとも部分的に基づいて、前記モバイルデバイスのロケーションを推定するための命令でプログラミングされた１つまたは複数のプロセッサと
を備える、モバイルデバイスを備える、
装置。
【請求項１３】
前記少なくとも１つの信号パターンマッチング動作は、前記ＬＣＩに関して決定された複数の候補信号パターンの中から信号パターンを選択することに少なくとも部分的に基づく、
請求項１２に記載の装置。
【請求項１４】
前記モバイルデバイスの前記ロケーションは、時間インターバルを通じて取得された前記１つまたは複数の気圧測定値を介して測定された前記高度の履歴に少なくとも部分的に基づいて推定される、
請求項１２に記載の装置。
【請求項１５】
前記１つまたは複数の気圧測定値を介して測定された前記高度の前記履歴は、前記エリア内の前記複数の所定のロケーションに関して取得された前記圧力プロファイルを備える、
請求項１４に記載の装置。
【請求項１６】
前記少なくとも１つの信号パターンマッチング動作は、前記モバイルデバイスの粗のロケーションの決定に応答して実行される、
請求項１２に記載の装置。
【請求項１７】
モバイルデバイスにおいて、ロケーションコンテキスト識別子（ＬＣＩ）を介して識別されたエリアにおける複数の所定のロケーションを定義する無線ヒートマップを備える測位支援データを取得するための手段、ここにおいて前記無線ヒートマップは、前記エリア内の基準高度値に対する前記所定のロケーションの少なくともいくつかに関する１つまたは複数の予測された高度値を含む前記ＬＣＩを示す圧力プロファイルを備える、と、
前記モバイルデバイスの気圧センサを介して取得された１つまたは複数の気圧測定値に少なくとも部分的に基づいて、前記基準高度値に対する前記モバイルデバイスの高度を測定するための手段と、
前記１つまたは複数の気圧測定値を介して測定された前記高度および前記１つまたは複数の予測された高度値に関する少なくとも１つの信号パターンマッチング動作に少なくとも部分的に基づいて、前記モバイルデバイスのロケーションを推定するための手段と、
を備える、装置。
【請求項１８】
前記モバイルデバイスの前記ロケーションを推定するための前記手段は、前記ＬＣＩに関して決定された複数の候補信号パターンの中から信号パターンを選択するための手段をさらに備える、
請求項１７に記載の装置。
【請求項１９】
前記複数の候補信号パターンの中から前記信号パターンを選択するための前記手段は、最も近い信号パターンマッチングを決定するために、前記１つまたは複数の気圧測定値を介して測定された前記高度と、前記１つまたは複数の予測された高度値を比較するための手段をさらに備える、
請求項１８に記載の装置。
【請求項２０】
前記基準高度値は、衛星測位システム（ＳＰＳ）を介して取得された最近のポジションフィックス、ワイヤレス信号と気圧測定値との組み合わせ、ユーザ入力、またはそれらの任意の組み合わせのうちの少なくとも１つに少なくとも部分的に基づいて決定される、
請求項１７に記載の装置。
【請求項２１】
前記モバイルデバイスの前記ロケーションは、時間インターバルを通じて取得された前記１つまたは複数の気圧測定値を介して測定された前記高度の履歴に少なくとも部分的に基づいて推定される、
請求項１７に記載の装置。
【請求項２２】
前記１つまたは複数の気圧測定値を介して測定された前記高度の前記履歴は、前記エリア内の前記複数の所定のロケーションに関して取得された前記圧力プロファイルを備える、
請求項２１に記載の装置。
【請求項２３】
前記１つまたは複数の気圧測定値を介して測定された前記高度の前記履歴は、前記エリア内で前記モバイルデバイスのユーザが移動する間に取得される、
請求項２１に記載の装置。
【請求項２４】
前記無線ヒートマップは、前記所定のロケーションにおける予測された受信信号強度値、前記所定のロケーションにおける予測された往復時間値、またはそれらの任意の組み合わせのうちの少なくとも１つをさらに備える、
請求項１７に記載の装置。
【請求項２５】
前記少なくとも１つの信号パターンマッチング動作は、前記モバイルデバイスの粗のロケーションの決定に応答して実行される、
請求項１７に記載の装置。
【請求項２６】
前記モバイルデバイスの前記粗のロケーションの前記決定に応答して実行された前記少なくとも１つの信号パターンマッチング動作は、前記ＬＣＩに関して決定された、かつデータベースに記憶された信号パターンのサブセットから信号パターンを選択することに少なくとも部分的に基づく、
請求項２５に記載の装置。
【請求項２７】
前記１つまたは複数の予測された高度値は、前記無線ヒートマップと組み合わせて、または前記無線ヒートマップの一部として提供される、
請求項１７に記載の装置。
【請求項２８】
モバイルデバイスにおいて、ロケーションコンテキスト識別子（ＬＣＩ）を介して識別されたエリアにおける複数の所定のロケーションを定義する無線ヒートマップを備える測位支援データを取得すること、ここにおいて前記無線ヒートマップは、前記エリア内の基準高度値に対する前記所定のロケーションの少なくともいくつかに関する１つまたは複数の予測された高度値を含む前記ＬＣＩを示す圧力プロファイルを備える、と、
前記モバイルデバイスの気圧センサを介して取得された１つまたは複数の気圧測定値に少なくとも部分的に基づいて、前記基準高度値に対する前記モバイルデバイスの高度を測定することと、
前記１つまたは複数の気圧測定値を介して測定された前記高度および前記１つまたは複数の予測された高度値に関する少なくとも１つの信号パターンマッチング動作に少なくとも部分的に基づいて、前記モバイルデバイスのロケーションを推定することと
を行うように専用コンピューティングプラットフォームによって実行可能である命令を記憶した非一時的な記憶媒体を備える、
製品。
【請求項２９】
前記記憶媒体は、前記ＬＣＩに関して決定された複数の候補信号パターンの中から信号パターンを選択することを行うための命令をさらに備える、
請求項２８に記載の製品。
【請求項３０】
前記記憶媒体は、最も近い信号パターンマッチングを決定するために、前記１つまたは複数の気圧測定値を介して測定された前記高度と、前記１つまたは複数の予測された高度値を比較することを行うための命令をさらに備える、
請求項２９に記載の製品。
【請求項３１】
前記モバイルデバイスの前記ロケーションは、時間インターバルを通じて取得された前記１つまたは複数の気圧測定値を介して測定された前記高度の履歴に少なくとも部分的に基づいて推定される、
請求項２８に記載の製品。
【請求項３２】
前記１つまたは複数の気圧測定値を介して測定された前記高度の前記履歴は、前記エリア内の前記複数の所定のロケーションに関して取得された前記圧力プロファイルを備える、
請求項３１に記載の製品。
【請求項３３】
前記少なくとも１つの信号パターンマッチング動作は、前記モバイルデバイスの粗のロケーションの決定に応答して実行される、
請求項２８に記載の製品。
【請求項３４】
モバイルデバイスで、ロケーションコンテキスト識別子（ＬＣＩ）を介して識別されたエリアにおける複数の所定のロケーションを定義する無線ヒートマップを備える測位支援データを取得すること、ここにおいて前記無線ヒートマップは、前記エリア内の基準気圧値に対する前記所定のロケーションの少なくともいくつかに関する１つまたは複数の予測された気圧値を含む前記ＬＣＩを示す圧力プロファイルを備える、と、
前記モバイルデバイスの気圧センサを介して、前記基準気圧値に対する前記モバイルデバイスの気圧を測定することと、
前記気圧センサを介して測定された前記モバイルデバイスの前記気圧および前記１つまたは複数の予測された気圧値に関する少なくとも１つの信号パターンマッチング動作に少なくとも部分的に基づいて、前記モバイルデバイスのロケーションを推定することと
を備える、方法。
【請求項３５】
前記少なくとも１つの信号パターンマッチング動作は、前記ＬＣＩに関して決定された複数の候補信号パターンの中から信号パターンを選択することに少なくとも部分的に基づく、
請求項３４に記載の方法。
【請求項３６】
前記複数の候補信号パターンの中から前記信号パターンを前記選択することは、最も近い信号パターンマッチングを決定するために、前記モバイルデバイスの前記気圧と、前記１つまたは複数の予測された気圧値を比較することを備える、
請求項３５に記載の方法。
【請求項３７】
前記モバイルデバイスの前記ロケーションは、時間インターバルを通じて取得された前記気圧の履歴、移動の推定された水平距離の間で取得された前記気圧の履歴、前記気圧の最大と最小の値の履歴、前記気圧の最大と最小の値の差異の履歴、またはそれらの任意の組み合わせのうちの少なくとも１つに少なくとも部分的に基づいて推定される、
請求項３６に記載の方法。
【請求項３８】
前記１つまたは複数の予測された気圧値は、前記無線ヒートマップと組み合わせて、または前記無線ヒートマップの一部として提供される、
請求項３４に記載の方法。
【手続補正２】
【補正対象書類名】明細書
【補正対象項目名】００６８
【補正方法】変更
【補正の内容】
【００６８】
[0073]ある特定の実例的な技法が、様々な方法またはシステムを使用して本明細書で説明および図示されているけれども、請求されている主題から逸脱することなく、様々な他の修正が行なわれることができ、均等物が代用されることができることは、当業者によって理解されるべきである。さらに、本明細書で説明されている主要概念から逸脱することなく、請求されている主題の教示に特定の状況を適合させるために、多くの修正が行なわれうる。したがって、請求されている主題は、開示されている特定の例に限定されないが、このような請求されている主題は、添付の請求項の範囲内に入るすべての実装およびその均等物を含むことができることが意図されている。
以下に、本願出願の当初の特許請求の範囲に記載された発明を付記する。
［Ｃ１］
モバイルデバイスにおいて、ロケーションコンテキスト識別子（ＬＣＩ）を介して識別されたエリアにおける複数の所定のロケーションを定義する無線ヒートマップを備える測位支援データを取得すること、ここにおいて前記無線ヒートマップは、前記エリア内の基準高度値に対する前記所定のロケーションの少なくともいくつかに関する１つまたは複数の予測された高度値を備える、と、
前記モバイルデバイスの気圧センサを介して取得された１つまたは複数の気圧測定値に少なくとも部分的に基づいて、前記基準高度値に対する前記モバイルデバイスの高度を測定することと、
前記１つまたは複数の気圧測定値を介して測定された前記高度および前記１つまたは複数の予測された高度値に関する少なくとも１つの信号パターンマッチング動作に少なくとも部分的に基づいて、前記モバイルデバイスのロケーションを推定することと
を備える、方法。
［Ｃ２］
前記少なくとも１つの信号パターンマッチング動作は、前記ＬＣＩに関して決定された複数の候補信号パターンの中から信号パターンを選択することに少なくとも部分的に基づく、
Ｃ１に記載の方法。
［Ｃ３］
前記複数の候補信号パターンの中から前記信号パターンを前記選択することは、最も近い信号パターンマッチングを決定するために、前記１つまたは複数の気圧測定値を介して測定された前記高度と、前記１つまたは複数の予測された高度値を比較することを備える、
Ｃ２に記載の方法。
［Ｃ４］
前記基準高度値は、衛星測位システム（ＳＰＳ）を介して取得された最近のポジションフィックス、ワイヤレス信号と気圧測定値との組み合わせ、ユーザ入力、またはそれらの任意の組み合わせのうちの少なくとも１つに少なくとも部分的に基づいて決定される、
Ｃ１に記載の方法。
［Ｃ５］
前記モバイルデバイスの前記ロケーションは、時間インターバルを通じて取得された前記１つまたは複数の気圧測定値を介して測定された前記高度の履歴に少なくとも部分的に基づいて推定される、
Ｃ１に記載の方法。
［Ｃ６］
前記１つまたは複数の気圧測定値を介して測定された前記高度の前記履歴は、前記エリア内の前記複数の所定のロケーションに関する圧力プロファイルを備える、
Ｃ５に記載の方法。
［Ｃ７］
前記１つまたは複数の気圧測定値を介して測定された前記高度の前記履歴は、前記エリア内で前記モバイルデバイスのユーザが移動する間に取得される、
Ｃ５に記載の方法。
［Ｃ８］
前記無線ヒートマップは、前記所定のロケーションにおける予測された受信信号強度値、前記所定のロケーションにおける予測された往復時間値、またはそれらの任意の組み合わせのうちの少なくとも１つをさらに備える、
Ｃ１に記載の方法。
［Ｃ９］
前記少なくとも１つの信号パターンマッチング動作は、前記モバイルデバイスの粗のロケーションの決定に応答して実行される、
Ｃ１に記載の方法。
［Ｃ１０］
前記モバイルデバイスの前記粗のロケーションの前記決定に応答して実行された前記少なくとも１つの信号パターンマッチング動作は、前記ＬＣＩに関して決定された、かつデータベースに記憶された信号パターンのサブセットから信号パターンを選択することに少なくとも部分的に基づく、
Ｃ９に記載の方法。
［Ｃ１１］
前記１つまたは複数の予測された高度値は、前記無線ヒートマップと組み合わせて、または前記無線ヒートマップの一部として提供される、
Ｃ１に記載の方法。
［Ｃ１２］
ロケーションコンテキスト識別子（ＬＣＩ）を介して識別されたエリアにおける複数の所定のロケーションを定義する無線ヒートマップを備える測位支援データを取得するためにワイヤレスネットワークと通信するためのワイヤレストランシーバ、ここにおいて前記無線ヒートマップは、前記エリア内の基準高度値に対する前記所定のロケーションの少なくともいくつかに関する１つまたは複数の予測された高度値を備える、と、
モバイルデバイスの気圧センサを介して取得された１つまたは複数の気圧測定値に少なくとも部分的に基づいて、前記基準高度値に対する前記モバイルデバイスの高度を測定するための前記気圧センサと、
前記１つまたは複数の気圧測定値を介して測定された前記高度および前記１つまたは複数の予測された高度値に関する少なくとも１つの信号パターンマッチング動作に少なくとも部分的に基づいて、前記モバイルデバイスのロケーションを推定するための命令でプログラミングされた１つまたは複数のプロセッサと
を備える、モバイルデバイスを備える、
装置。
［Ｃ１３］
前記少なくとも１つの信号パターンマッチング動作は、前記ＬＣＩに関して決定された複数の候補信号パターンの中から信号パターンを選択することに少なくとも部分的に基づく、
Ｃ１２に記載の装置。
［Ｃ１４］
前記モバイルデバイスの前記ロケーションは、時間インターバルを通じて取得された前記１つまたは複数の気圧測定値を介して測定された前記高度の履歴に少なくとも部分的に基づいて推定される、
Ｃ１２に記載の装置。
［Ｃ１５］
前記１つまたは複数の気圧測定値を介して測定された前記高度の前記履歴は、前記エリア内の前記複数の所定のロケーションに関する圧力プロファイルを備える、
Ｃ１４に記載の装置。
［Ｃ１６］
前記少なくとも１つの信号パターンマッチング動作は、前記モバイルデバイスの粗のロケーションの決定に応答して実行される、
Ｃ１２に記載の装置。
［Ｃ１７］
モバイルデバイスにおいて、ロケーションコンテキスト識別子（ＬＣＩ）を介して識別されたエリアにおける複数の所定のロケーションを定義する無線ヒートマップを備える測位支援データを取得するための手段、ここにおいて前記無線ヒートマップは、前記エリア内の基準高度値に対する前記所定のロケーションの少なくともいくつかに関する１つまたは複数の予測された高度値を備える、と、
前記モバイルデバイスの気圧センサを介して取得された１つまたは複数の気圧測定値に少なくとも部分的に基づいて、前記基準高度値に対する前記モバイルデバイスの高度を測定するための手段と、
前記１つまたは複数の気圧測定値を介して測定された前記高度および前記１つまたは複数の予測された高度値に関する少なくとも１つの信号パターンマッチング動作に少なくとも部分的に基づいて、前記モバイルデバイスのロケーションを推定するための手段と、
を備える、装置。
［Ｃ１８］
前記モバイルデバイスの前記ロケーションを推定するための前記手段は、前記ＬＣＩに関して決定された複数の候補信号パターンの中から信号パターンを選択するための手段をさらに備える、
Ｃ１７に記載の装置。
［Ｃ１９］
前記複数の候補信号パターンの中から前記信号パターンを選択するための前記手段は、最も近い信号パターンマッチングを決定するために、前記１つまたは複数の気圧測定値を介して測定された前記高度と、前記１つまたは複数の予測された高度値を比較するための手段をさらに備える、
Ｃ１８に記載の装置。
［Ｃ２０］
前記基準高度値は、衛星測位システム（ＳＰＳ）を介して取得された最近のポジションフィックス、ワイヤレス信号と気圧測定値との組み合わせ、ユーザ入力、またはそれらの任意の組み合わせのうちの少なくとも１つに少なくとも部分的に基づいて決定される、
Ｃ１７に記載の装置。
［Ｃ２１］
前記モバイルデバイスの前記ロケーションは、時間インターバルを通じて取得された前記１つまたは複数の気圧測定値を介して測定された前記高度の履歴に少なくとも部分的に基づいて推定される、
Ｃ１７に記載の装置。
［Ｃ２２］
前記１つまたは複数の気圧測定値を介して測定された前記高度の前記履歴は、前記エリア内の前記複数の所定のロケーションに関する圧力プロファイルを備える、
Ｃ２１に記載の装置。
［Ｃ２３］
前記１つまたは複数の気圧測定値を介して測定された前記高度の前記履歴は、前記エリア内で前記モバイルデバイスのユーザが移動する間に取得される、
Ｃ２１に記載の装置。
［Ｃ２４］
前記無線ヒートマップは、前記所定のロケーションにおける予測された受信信号強度値、前記所定のロケーションにおける予測された往復時間値、またはそれらの任意の組み合わせのうちの少なくとも１つをさらに備える、
Ｃ１７に記載の装置。
［Ｃ２５］
前記少なくとも１つの信号パターンマッチング動作は、前記モバイルデバイスの粗のロケーションの決定に応答して実行される、
Ｃ１７に記載の装置。
［Ｃ２６］
前記モバイルデバイスの前記粗のロケーションの前記決定に応答して実行された前記少なくとも１つの信号パターンマッチング動作は、前記ＬＣＩに関して決定された、かつデータベースに記憶された信号パターンのサブセットから信号パターンを選択することに少なくとも部分的に基づく、
Ｃ２５に記載の装置。
［Ｃ２７］
前記１つまたは複数の予測された高度値は、前記無線ヒートマップと組み合わせて、または前記無線ヒートマップの一部として提供される、
Ｃ１７に記載の装置。
［Ｃ２８］
モバイルデバイスにおいて、ロケーションコンテキスト識別子（ＬＣＩ）を介して識別されたエリアにおける複数の所定のロケーションを定義する無線ヒートマップを備える測位支援データを取得すること、ここにおいて前記無線ヒートマップは、前記エリア内の基準高度値に対する前記所定のロケーションの少なくともいくつかに関する１つまたは複数の予測された高度値を備える、と、
前記モバイルデバイスの気圧センサを介して取得された１つまたは複数の気圧測定値に少なくとも部分的に基づいて、前記基準高度値に対する前記モバイルデバイスの高度を測定することと、
前記１つまたは複数の気圧測定値を介して測定された前記高度および前記１つまたは複数の予測された高度値に関する少なくとも１つの信号パターンマッチング動作に少なくとも部分的に基づいて、前記モバイルデバイスのロケーションを推定することと
を行うように専用コンピューティングプラットフォームによって実行可能である命令を記憶した非一時的な記憶媒体を備える、
製品。
［Ｃ２９］
前記記憶媒体は、前記ＬＣＩに関して決定された複数の候補信号パターンの中から信号パターンを選択することを行うための命令をさらに備える、
Ｃ２８に記載の製品。
［Ｃ３０］
前記記憶媒体は、最も近い信号パターンマッチングを決定するために、前記１つまたは複数の気圧測定値を介して測定された前記高度と、前記１つまたは複数の予測された高度値を比較することを行うための命令をさらに備える、
Ｃ２９に記載の製品。
［Ｃ３１］
前記モバイルデバイスの前記ロケーションは、時間インターバルを通じて取得された前記１つまたは複数の気圧測定値を介して測定された前記高度の履歴に少なくとも部分的に基づいて推定される、
Ｃ２８に記載の製品。
［Ｃ３２］
前記１つまたは複数の気圧測定値を介して測定された前記高度の前記履歴は、前記エリア内の前記複数の所定のロケーションに関する圧力プロファイルを備える、
Ｃ３１に記載の製品。
［Ｃ３３］
前記少なくとも１つの信号パターンマッチング動作は、前記モバイルデバイスの粗のロケーションの決定に応答して実行される、
Ｃ２８に記載の製品。
［Ｃ３４］
モバイルデバイスで、ロケーションコンテキスト識別子（ＬＣＩ）を介して識別されたエリアにおける複数の所定のロケーションを定義する無線ヒートマップを備える測位支援データを取得すること、ここにおいて前記無線ヒートマップは、前記エリア内の基準気圧値に対する前記所定のロケーションの少なくともいくつかに関する１つまたは複数の予測された気圧値を備える、と、
前記モバイルデバイスの気圧センサを介して、前記基準気圧値に対する前記モバイルデバイスの気圧を測定することと、
前記気圧センサを介して測定された前記モバイルデバイスの前記気圧および前記１つまたは複数の予測された気圧値に関する少なくとも１つの信号パターンマッチング動作に少なくとも部分的に基づいて、前記モバイルデバイスのロケーションを推定することと
を備える、方法。
［Ｃ３５］
前記少なくとも１つの信号パターンマッチング動作は、前記ＬＣＩに関して決定された複数の候補信号パターンの中から信号パターンを選択することに少なくとも部分的に基づく、
Ｃ３４に記載の方法。
［Ｃ３６］
前記複数の候補信号パターンの中から前記信号パターンを前記選択することは、最も近い信号パターンマッチングを決定するために、前記モバイルデバイスの前記気圧と、前記１つまたは複数の予測された気圧値を比較することを備える、
Ｃ３５に記載の方法。
［Ｃ３７］
前記モバイルデバイスの前記ロケーションは、時間インターバルを通じて取得された前記気圧の履歴、移動の推定された水平距離の間で取得された前記気圧の履歴、前記気圧の最大と最小の値の履歴、前記気圧の最大と最小の値の差異の履歴、またはそれらの任意の組み合わせのうちの少なくとも１つに少なくとも部分的に基づいて推定される、
Ｃ３６に記載の方法。
［Ｃ３８］
前記１つまたは複数の予測された気圧値は、前記無線ヒートマップと組み合わせて、または前記無線ヒートマップの一部として提供される、
Ｃ３４に記載の方法。
【国際調査報告】
2016526151.tif 000009
2016526151.tif 000010